(57)【要約】  本開示の装置、デバイス、及び方法は、手術手順中のチューブ及びホースの管理を補助する。これらの装置、デバイス、及び方法は、チューブを適切に開閉させて、手術手順のステップを実施しやすくする。本開示の装置、デバイス、及び方法は、組織処理及び清浄用デバイスなどの医療機器への及び医療機器からの流体送達を制御する。【選択図】図１１Ｂ
2018537150.tif 000002
【特許請求の範囲】
【請求項１】
組織処理装置であって、
容器であって、
組織を保持するための内容積を取り囲む外壁、及び
組織を処理するためのフィルター構造
を含む、前記容器、及び
流れ管理デバイスであって、
貫通している複数の第１の開口部を有する第１のプレート、
貫通している複数の第２の開口部を有する第２のプレート、及び
貫通している１つ以上の第３の開口部を有する第３のプレート
を含む、前記流れ管理デバイス
を含み、
前記第１のプレートと前記第２のプレートと前記第３のプレートは、機能的に接続されており、前記第３のプレートを第１の位置に設定すると、第１のサブセットの前記複数の第１の開口部が第１のサブセットの前記複数の第２の開口部と流体連通し、前記第３のプレートを第２の位置に設定すると、第２のサブセットの前記複数の第１の開口部が第２のサブセットの前記複数の第２の開口部と流体連通し、前記第３のプレートを第３の位置に設定すると、第３のサブセットの前記複数の第１の開口部が第３のサブセットの前記複数の第２の開口部と流体連通する、前記組織処理装置。
【請求項２】
さらに、前記第１のプレートと前記第２のプレートと前記第３のプレートを機能的に接続する回転式接続部を含む、請求項１に記載の組織処理装置。
【請求項３】
さらに、前記第１のプレートと前記第３のプレートまたは前記第２のプレートと前記第３のプレートとの間を物質が通過するのを阻止する複数のシールを含む、請求項１に記載の組織処理装置。
【請求項４】
前記第１のプレート、前記第２のプレート、及び前記第３のプレートのうちの少なくとも１つが、複数の凹部分を含み、
前記第１のプレートを第４の位置に設定すると、前記複数のシールが前記複数の凹部分に嵌り、どの前記複数の第１の開口部も第２の開口部と流体連通していない、請求項３に記載の組織処理装置。
【請求項５】
さらに、組織の洗浄及び処理を容易にする少なくとも１つの混合ブレードを含む、請求項１に記載の組織処理装置。
【請求項６】
前記第３のプレートの前記第１の位置、前記第２の位置、及び前記第３の位置は、組織洗浄または処理手順の方法ステップに対応する、請求項１に記載の組織処理装置。
【請求項７】
前記第３のプレートの前記第１の位置は、前記組織洗浄または処理手順の組織吸入ステップに対応する、請求項６に記載の組織処理装置。
【請求項８】
前記第３のプレートの前記第２の位置は、前記組織洗浄または処理手順の組織洗浄ステップに対応する、請求項６に記載の組織処理装置。
【請求項９】
前記第３のプレートの前記第３の位置は、前記組織洗浄または処理手順の、前記容器から組織が移送されるステップに対応する、請求項６に記載の組織処理装置。
【請求項１０】
さらに、前記内容積と流体連通している移送ポートを含む、請求項１に記載の組織処理装置。
【請求項１１】
さらに、複数のポートを含み、各ポートは前記複数の第１の開口部のうちの１つと流体連通している、請求項１に記載の組織処理装置。
【請求項１２】
前記組織処理装置は、医療用に滅菌されている、請求項１に記載の組織処理装置。
【請求項１３】
前記容器は、分割壁により分割されている第１のチャンバーと第２のチャンバーとを含む、請求項１に記載の組織処理装置。
【請求項１４】
前記分割壁は、少なくとも部分的には前記フィルター構造により画定される、請求項１３に記載の組織処理装置。
【請求項１５】
前記フィルター構造は、メッシュ壁、及び前記メッシュ壁を支持するフレームを含む、請求項１に記載の組織処理装置。
【請求項１６】
前記フレームは剛性材を含む、請求項１５に記載の組織処理装置。
【請求項１７】
前記フレームは、前記メッシュ壁の上縁を取り囲む剛性材を含む、請求項１５に記載の組織処理装置。
【請求項１８】
前記フレームは、前記メッシュ壁の上縁を取り囲み、かつ前記メッシュ壁の側壁の少なくとも一部分に沿って前記メッシュ壁の下部まで延びる剛性材を含む、請求項１５に記載の組織処理装置。
【請求項１９】
前記フレームは、前記メッシュ壁の上縁を取り囲み、かつ前記メッシュ壁の側壁の少なくとも一部分に沿って前記メッシュ壁の下部まで複数の延在部を有する剛性材を含む、請求項１５に記載の組織処理装置。
【請求項２０】
さらに、前記容器の下部に移送ポートを含む、請求項１に記載の組織処理装置。
【請求項２１】
前記移送ポートは、前記フィルター構造内のスペースと流体連通できる、請求項２０に記載の組織処理装置。
【請求項２２】
前記フィルター構造は、メッシュ壁、及び前記メッシュ壁を支持するフレームを含む、請求項２１に記載の組織処理装置。
【請求項２３】
前記フレームは剛性材を含む、請求項２１に記載の組織処理装置。
【請求項２４】
前記フレームは、前記メッシュ壁の上縁を取り囲む剛性材を含む、請求項２１に記載の組織処理装置。
【請求項２５】
前記フレームは、前記メッシュ壁の上縁を取り囲み、かつ前記メッシュ壁の側壁の少なくとも一部分に沿って前記メッシュ壁の下部まで延びる剛性材を含み、前記フレームは前記移送ポートとしっかりと係合する、請求項２１に記載の組織処理装置。
【請求項２６】
前記フレームは、前記メッシュ壁の上縁を取り囲み、かつ前記メッシュ壁の側壁の少なくとも一部分に沿って前記メッシュ壁の下部まで複数の延在部を有する剛性材を含み、前記フレームは前記移送ポートとしっかりと係合する、請求項２１に記載の組織処理装置。
【請求項２７】
流れ管理デバイスであって、
貫通している複数の第１の開口部を有する第１のプレート、及び
貫通している複数の第２の開口部を有する第２のプレート、及び
貫通している１つ以上の第３の開口部を有する第３のプレート
を含み、
前記第１のプレートと前記第２のプレートと前記第３のプレートは、機能的に接続されており、前記第３のプレートを第１の位置に設定すると、第１のサブセットの前記複数の第１の開口部が第１のサブセットの前記複数の第２の開口部と流体連通し、前記第３のプレートを第２の位置に設定すると、第２のサブセットの前記複数の第１の開口部が第２のサブセットの前記複数の第２の開口部と流体連通し、前記第３のプレートを第３の位置に設定すると、第３のサブセットの前記複数の第１の開口部が第３のサブセットの前記複数の第２の開口部と流体連通する、前記流れ管理デバイス。
【請求項２８】
さらに、前記第１のプレートと前記第２のプレートと前記第３のプレートを機能的に接続する回転式接続部を含む、請求項２７に記載の流れ管理デバイス。
【請求項２９】
さらに、前記第１のプレートと前記第３のプレートまたは前記第２のプレートと前記第３のプレートとの間を物質が通過するのを阻止する複数のシールを含む、請求項２７に記載の流れ管理デバイス。
【請求項３０】
前記第１のプレート、前記第２のプレート、及び前記第３のプレートのうちの少なくとも１つが、複数の凹部分を含み、
前記第１のプレートを第４の位置に設定すると、前記複数のシールが前記複数の凹部分に嵌り、どの前記複数の第１の開口部も第２の開口部と流体連通していない、請求項２９に記載の流れ管理デバイス。
【請求項３１】
前記第３のプレートの前記第１の位置、前記第２の位置、及び前記第３の位置は、組織洗浄または処理手順の方法ステップに対応する、請求項２９に記載の流れ管理デバイス。
【請求項３２】
前記第３のプレートの前記第１の位置は、前記組織洗浄または処理手順の組織吸入ステップに対応する、請求項３１に記載の流れ管理デバイス。
【請求項３３】
前記第３のプレートの前記第２の位置は、前記組織洗浄または処理手順の組織洗浄ステップに対応する、請求項３１に記載の流れ管理デバイス。
【請求項３４】
前記第３のプレートの前記第３の位置は、前記組織洗浄または処理手順の、前記容器から組織が移送されるステップに対応する、請求項３１に記載の流れ管理デバイス。
【請求項３５】
組織処理装置であって、
容器であって、
組織を保持するための内容積を取り囲む外壁、及び
組織を処理するためのフィルター構造を含む、前記容器、
チューブ管理デバイスであって、
複数のチューブ貫通孔を有するチューブ制限プレート、
複数のチューブ貫通孔を有するチューブ安定プレート、
前記複数のチューブ貫通孔に隣接して前記チューブ制限プレートに設置されている複数の流れ制限デバイス、及び
多位置スイッチを含む、前記チューブ管理デバイス
を含み、
複数のチューブが前記複数のチューブ貫通孔を通過し、
前記多位置スイッチを第１の位置に設定すると、前記複数の流れ制限デバイスが第１のサブセットの前記複数のチューブ内の流れを制限して、患者から前記内容積へと組織が移送され、前記多位置スイッチを第２の位置に設定すると、前記複数の流れ制限デバイスが第２のサブセットの前記複数のチューブ内の流れを制限して、前記内容積において前記組織の処理が可能になり、前記多位置スイッチを第３の位置に設定すると、前記複数の流れ制限デバイスが第３のサブセットの前記複数のチューブ内の流れを制限して、前記組織を前記内容積から移送できるようになる、前記組織処理装置。
【請求項３６】
前記複数の流れ制限デバイスは、前記チューブ制限プレートに配置された丸みのある半径方向スロットを含む、請求項３５に記載の組織処理装置。
【請求項３７】
前記チューブ制限プレートは、異なる丸みのある半径方向スロットを有する少なくとも２枚のプレートを有するチューブ制限プレートのセットから選択される、請求項３５に記載の組織処理装置。
【請求項３８】
前記複数の流れ制限デバイスは、複数の滑りブロックを含み、前記複数の滑りブロックのサブセットが、第１のサブセットの前記複数のチューブ内の流れを制限するように係合している、請求項３５に記載の組織処理装置。
【請求項３９】
さらに、取っ手を含む、請求項３５に記載の組織処理装置。
【請求項４０】
前記多位置スイッチは、一方向のみに切換えができるようにされている、請求項３５に記載の組織処理装置。
【請求項４１】
さらに、前記多位置スイッチを一方向のみに移動させるようにラチェット機構を含む、請求項４０に記載の組織処理装置。
【請求項４２】
さらに、組織の洗浄または処理を容易にする混合ブレード及びフィルターのうちの少なくとも１つを含む、請求項１５に記載の組織処理装置。
【請求項４３】
前記多位置スイッチの位置は、組織洗浄または処理手順の方法ステップに対応する、請求項１５に記載の組織処理装置。
【請求項４４】
前記多位置スイッチの少なくとも１つの位置は、前記組織洗浄または処理手順の組織吸入ステップに対応する、請求項４３に記載の組織処理装置。
【請求項４５】
前記多位置スイッチの少なくとも１つの位置は、前記組織洗浄または処理手順の組織洗浄ステップに対応する、請求項４３に記載の組織処理装置。
【請求項４６】
前記多位置スイッチの少なくとも１つの位置は、前記組織洗浄または処理手順の、前記容器から組織が移送されるステップに対応する、請求項４３に記載の組織処理装置。
【請求項４７】
さらに、前記複数のチューブ貫通孔を通過する前記複数のチューブを含む、請求項３５に記載の組織処理装置。
【請求項４８】
医療用に滅菌されている、請求項３５に記載の組織処理装置。
【請求項４９】
前記容器は、分割壁により分割されている第１のチャンバーと第２のチャンバーとを含む、請求項３５に記載の組織処理装置。
【請求項５０】
前記分割壁は、少なくとも部分的には前記フィルター構造により画定される、請求項４９に記載の組織処理装置。
【請求項５１】
前記フィルター構造は、メッシュ壁、及び前記メッシュ壁を支持するフレームを含む、請求項３５に記載の組織処理装置。
【請求項５２】
前記フレームは剛性材を含む、請求項５１に記載の組織処理装置。
【請求項５３】
前記フレームは、前記メッシュ壁の上縁を取り囲む剛性材を含む、請求項５１に記載の組織処理装置。
【請求項５４】
前記フレームは、前記メッシュ壁の上縁を取り囲み、かつ前記メッシュ壁の側壁の少なくとも一部分に沿って前記メッシュ壁の下部まで延びる剛性材を含む、請求項５１に記載の組織処理装置。
【請求項５５】
前記フレームは、前記メッシュ壁の上縁を取り囲み、かつ前記メッシュ壁の側壁の少なくとも一部分に沿って前記メッシュ壁の下部まで複数の延在部を有する剛性材を含む、請求項５１に記載の組織処理装置。
【請求項５６】
さらに、前記容器の下部に移送ポートを含む、請求項３５に記載の組織処理装置。
【請求項５７】
前記移送ポートは、前記フィルター構造内のスペースと流体連通できる、請求項５６に記載の組織処理装置。
【請求項５８】
前記フィルター構造は、メッシュ壁、及び前記メッシュ壁を支持するフレームを含む、請求項５６に記載の組織処理装置。
【請求項５９】
前記フレームは剛性材を含む、請求項５６に記載の組織処理装置。
【請求項６０】
前記フレームは、前記メッシュ壁の上縁を取り囲む剛性材を含む、請求項５６に記載の組織処理装置。
【請求項６１】
前記フレームは、前記メッシュ壁の上縁を取り囲み、かつ前記メッシュ壁の側壁の少なくとも一部分に沿って前記メッシュ壁の下部まで延びる剛性材を含み、前記フレームは前記移送ポートとしっかりと係合する、請求項５６に記載の組織処理装置。
【請求項６２】
前記フレームは、前記メッシュ壁の上縁を取り囲み、かつ前記メッシュ壁の側壁の少なくとも一部分に沿って前記メッシュ壁の下部まで複数の延在部を有する剛性材を含み、前記フレームは前記移送ポートとしっかりと係合する、請求項５６に記載の組織処理装置。
【請求項６３】
手術用導管を管理する方法であって、
複数のチューブ及び複数の流れ制限デバイスを、前記流れ制限デバイスそれぞれを前記複数のチューブのうちの少なくとも１本に対し近位に、デバイス本体内に設けること、
多位置スイッチを設けることであって、第１のサブセットの前記複数のチューブ内の流れは、前記多位置スイッチが第１の位置にあるときに、前記複数の流れ制限デバイスにより制限され、前記第１のサブセットとは異なる第２のサブセットの前記複数のチューブ内の流れは、前記多位置スイッチが第２の位置にあるときに、前記複数の流れ制限デバイスにより制限される、前記多位置スイッチを設けること、及び
前記多位置スイッチの前記第１の位置から前記多位置スイッチの前記第２の位置に切り換えることを含む、前記方法。
【請求項６４】
前記複数の流れ制限デバイスは、チューブ制限プレートに配置された丸みのある半径方向スロットを含む、請求項６３に記載の方法。
【請求項６５】
さらに、前記チューブを安定させるために、前記複数のチューブが通過するチューブ安定プレートを含む、請求項６３に記載の方法。
【請求項６６】
前記チューブ制限プレートは、異なる丸みのある半径方向スロットを有する少なくとも２枚のディスクを有する回転可能ディスクのセットから選択される、請求項６３に記載の方法。
【請求項６７】
前記１つ以上の流れ制限デバイスは、複数の滑りブロックを含み、前記複数の滑りブロックのサブセットが第１のサブセットの前記複数のチューブ内の流れを制限するように係合している、請求項６３に記載の方法。
【請求項６８】
前記本体はさらに、取っ手を含む、請求項６３に記載の方法。
【請求項６９】
前記多位置スイッチは、一方向のみに切換えができるようにされている、請求項６３に記載の方法。
【請求項７０】
前記多位置スイッチはさらに、前記多位置スイッチを一方向のみに移動させるようにラチェット機構を含む、請求項６９に記載の方法。
【請求項７１】
前記本体はさらに、組織の洗浄または処理を容易にする混合ブレード及びフィルターのうちの少なくとも１つを含む、請求項６３に記載の方法。
【請求項７２】
前記多位置スイッチの位置は、組織洗浄または処理手順の方法ステップに対応する、請求項６３に記載の方法。
【請求項７３】
さらに、前記多位置スイッチが第１の位置にあるとき、組織洗浄または処理手順の組織吸入ステップを実施することを含む、請求項７２に記載の方法。
【請求項７４】
さらに、前記多位置スイッチが第２の位置にあるとき、組織洗浄または処理手順の組織洗浄ステップを実施することを含む、請求項７２に記載の方法。
【請求項７５】
さらに、前記多位置スイッチが第３の位置にあるとき、組織洗浄または処理手順の組織移送ステップを実施することを含む、請求項７２に記載の方法。
【請求項７６】
チューブ管理デバイスであって、
複数のチューブ貫通孔を有するチューブ制限プレート、
複数のチューブ貫通孔を有するチューブ安定プレート、
前記複数のチューブ貫通孔に隣接して前記チューブ制限プレートに設置されている複数の流れ制限デバイス、
多位置スイッチ、及び
前記複数のチューブ貫通孔を通過する複数のチューブを含み、
前記多位置スイッチを第１の位置に設定すると、前記複数の流れ制限デバイスが第１のサブセットの前記複数のチューブ内の流れを制限し、前記多位置スイッチを第２の位置に設定すると、前記複数の流れ制限デバイスが第２のサブセットの前記複数のチューブ内の流れを制限し、前記多位置スイッチを第３の位置に設定すると、前記複数の流れ制限デバイスが第３のサブセットの前記複数のチューブ内の流れを制限する、前記デバイス。
【請求項７７】
前記複数の流れ制限デバイスは、前記チューブ制限プレートに配置された丸みのある半径方向スロットを含む、請求項７６に記載のデバイス。
【請求項７８】
前記チューブ制限プレートは、異なる丸みのある半径方向スロットを有する少なくとも２枚のプレートを有するチューブ制限プレートのセットから選択される、請求項７７に記載のデバイス。
【請求項７９】
前記１つ以上の流れ制限デバイスは、複数の滑りブロックを含み、前記複数の滑りブロックのサブセットが、第１のサブセットの前記複数のチューブ内の流れを制限するように係合している、請求項７６に記載のデバイス。
【請求項８０】
前記多位置スイッチは、一方向のみに切換えができるようにされている、請求項７６に記載のデバイス。
【請求項８１】
さらに、前記多位置スイッチを一方向のみに移動させるようにラチェット機構を含む、請求項８０に記載のデバイス。
【請求項８２】
前記多位置スイッチの位置は、組織洗浄または処理手順の方法ステップに対応する、請求項７６に記載のデバイス。
【請求項８３】
前記多位置スイッチの少なくとも１つの位置は、前記組織洗浄または処理手順の組織吸入ステップに対応する、請求項８２に記載のデバイス。
【請求項８４】
前記多位置スイッチの少なくとも１つの位置は、前記組織洗浄または処理手順の組織洗浄ステップに対応する、請求項８２に記載のデバイス。
【請求項８５】
前記多位置スイッチの少なくとも１つの位置は、前記組織洗浄または処理手順の、前記容器から組織が移送されるステップに対応する、請求項８２に記載のデバイス。
【請求項８６】
組織処理装置であって、
容器であって、
組織を保持するための内容積を取り囲む外壁、及び
組織を処理するためのフィルター構造を含む、前記容器、及び
流れ管理デバイスであって、
貫通している複数の第１の開口部を有する第１のプレート、
貫通している複数の第２の開口部を有する第２のプレートを含む、前記流れ管理デバイス
を含み、
前記第１のプレートと前記第２のプレートは、機能的に接続されており、前記第１のプレートを第１の位置に設定すると、第１のサブセットの前記複数の第１の開口部が第１のサブセットの前記複数の第２の開口部と流体連通し、前記第１のプレートを第２の位置に設定すると、第２のサブセットの前記複数の第１の開口部が第２のサブセットの前記複数の第２の開口部と流体連通し、前記第１のプレートを第３の位置に設定すると、第３のサブセットの前記複数の第１の開口部が第３のサブセットの前記複数の第２の開口部と流体連通する、前記組織処理装置。
【請求項８７】
前記複数の第１の開口部は複数のチューブと流体連通し、前記複数の第２の開口部は前記内容積と流体連通している、請求項８６に記載の組織処理装置。
【請求項８８】
前記流れ管理デバイスはさらに、複数のシールを含む、請求項８６に記載の組織処理装置。
【請求項８９】
前記第１のプレート、前記第２のプレート、または両方が、複数の凹部分を含み、
前記第１のプレートを第４の位置に設定すると、前記複数のシールが前記複数の凹部分に嵌り、どの前記複数の第１の開口部も第２の開口部と流体連通していない、請求項８８に記載の組織処理装置。
【請求項９０】
前記流れ管理デバイスはさらに、前記第１のプレートと前記第２のプレートを機能的に接続する回転式接続部を含む、請求項８６に記載の組織処理装置。
【請求項９１】
流れ管理デバイスであって、
貫通している複数の第１の開口部を有する第１のプレート、及び
貫通している複数の第２の開口部を有する第２のプレート
を含み、
前記第１のプレートと前記第２のプレートは、機能的に接続されており、前記第１のプレートを第１の位置に設定すると、第１のサブセットの前記複数の第１の開口部が第１のサブセットの前記複数の第２の開口部と流体連通し、前記第１のプレートを第２の位置に設定すると、第２のサブセットの前記複数の第１の開口部が第２のサブセットの前記複数の第２の開口部と流体連通し、前記第１のプレートを第３の位置に設定すると、第３のサブセットの前記複数の第１の開口部が第３のサブセットの前記複数の第２の開口部と流体連通する、前記流れ管理デバイス。
【請求項９２】
さらに、前記第１のプレートと前記第２のプレートを機能的に接続する回転式接続部を含む、請求項９１に記載の流れ管理デバイス。
【請求項９３】
さらに、前記第１のプレートと前記第２のプレート間を物質が通過するのを阻止する複数のシールを含む、請求項９１に記載の流れ管理デバイス。
【請求項９４】
前記第１のプレート、及び前記第２のプレートのうちの少なくとも１つが、複数の凹部分を含み、
前記第１のプレートを第４の位置に設定すると、前記複数のシールが前記複数の凹部分に嵌り、どの前記複数の第１の開口部も第２の開口部と流体連通していない、請求項９３に記載の流れ管理デバイス。
【請求項９５】
流れ管理デバイスであって、
複数の第１の開口部及び複数の第２の開口部を含む本体、
多位置スイッチ、
前記本体内で前記多位置スイッチに連結されているスピンドルであって、複数の第３の開口部を含む、前記スピンドル
を含み、
前記多位置スイッチを第１の位置に設定すると、第１のサブセットの前記複数の第１の開口部が第１のサブセットの前記複数の第２の開口部と、第１のサブセットの前記複数の第３の開口部を介して流体連通し、前記多位置スイッチを第２の位置に設定すると、第２のサブセットの前記複数の第１の開口部が第２のサブセットの前記複数の第２の開口部と、第２のサブセットの前記複数の第３の開口部を介して流体連通し、前記多位置スイッチを第３の位置に設定すると、第３のサブセットの前記複数の第１の開口部が第３のサブセットの前記複数の第２の開口部と、第３のサブセットの前記複数の第３の開口部を介して流体連通する、前記流れ管理デバイス。
【請求項９６】
前記スピンドルはさらに、前記スピンドルと前記本体間の流体、気体、または組織物質の通過を遮る１つ以上のシールを含む、請求項９５に記載の流れ管理デバイス。
【請求項９７】
前記多位置スイッチは、ユーザーがてこ力を高めるためにレンチなどの道具が使用できるような形状である、請求項９５に記載の流れ管理デバイス。
【請求項９８】
前記本体はさらに、前記第１の開口部及び前記第２の開口部のうちの少なくとも１つに隣接したポートを含む、請求項９５に記載の流れ管理デバイス。
【請求項９９】
前記複数の第３の開口部のうちの少なくとも２つが、前記スピンドル上の同じ軸線方向位置に設置されている、請求項９５に記載の流れ管理デバイス。
【請求項１００】
流れ管理デバイスであって、
複数のダイヤフラム・ユニットであって、それぞれ、可撓性ダイヤフラム、第１の開口部、及び第２の開口部を含み、前記第１の開口部と前記第２の開口部が流体連通する開位置、及び前記第１の開口部と前記第２の開口部が流体連通しない閉位置を有する、前記複数のダイヤフラム・ユニット、
１つ以上の突起を含む回転プレートであって、前記突起はそれぞれダイヤフラム・ユニットの前記可撓性ダイヤフラムを押圧して前記ダイヤフラム・ユニットを前記閉位置にすることができる、前記回転プレート
を含み、
前記回転プレートを第１の位置まで回転させると、第１のサブセットの前記ダイヤフラム・ユニットが前記閉位置になり、前記回転プレートを第２の位置まで回転させると、第２のサブセットの前記ダイヤフラム・ユニットが前記閉位置になり、前記回転プレートを第３の位置まで回転させると、第３のサブセットの前記ダイヤフラム・ユニットが前記閉位置になる、前記流れ管理デバイス。
【請求項１０１】
前記可撓性ダイヤフラムは、シリコーンを含む、請求項１００に記載の流れ管理デバイス。
【請求項１０２】
前記可撓性ダイヤフラムは、ボスを含む、請求項１００に記載の流れ管理デバイス。
【請求項１０３】
前記ダイヤフラム・ユニットを前記閉位置にすることは、前記可撓性ダイヤフラムの前記ボスを前記第１の開口部に押し付けて、前記第１の開口部を封止することを含む、請求項１０２に記載の流れ管理デバイス。
【請求項１０４】
各ダイヤフラム・ユニットはさらに、前記ダイヤフラム・ユニットが前記開位置にあるときに前記第１の開口部及び前記第２の開口部と流体連通する内側チャンバーを含む、請求項１００に記載の流れ管理デバイス。
【請求項１０５】
組織処理装置であって、
容器であって、
組織を保持するための内容積を取り囲む外壁、及び
メッシュ壁、及び前記メッシュ壁を支持するフレームを含む、組織を処理するためのフィルター構造を含む前記容器
を含む、前記組織処理装置。
【請求項１０６】
前記１つ以上の窓はそれぞれ、前記フィルターのうちの１つを中に含む、請求項１０５に記載の組織処理装置。
【請求項１０７】
さらに、組織の洗浄または処理を容易にする少なくとも１つの混合ブレードを含む、請求項１０５に記載の組織処理装置。
【請求項１０８】
前記フレームは剛性材を含む、請求項１０５に記載の組織処理装置。
【請求項１０９】
前記フレームは、前記メッシュ壁の上縁を取り囲む剛性材を含む、請求項１０５に記載の組織処理装置。
【請求項１１０】
前記フレームは、前記メッシュ壁の上縁を取り囲み、かつ前記メッシュ壁の側壁の少なくとも一部分に沿って前記メッシュ壁の下部まで延びる剛性材を含む、請求項１０５に記載の組織処理装置。
【請求項１１１】
前記フレームは、前記メッシュ壁の上縁を取り囲み、かつ前記メッシュ壁の側壁の少なくとも一部分に沿って前記メッシュ壁の下部まで複数の延在部を有する剛性材を含む、請求項１０５に記載の組織処理装置。
【請求項１１２】
さらに、前記容器の下部に移送ポートを含む、請求項１０５に記載の組織処理装置。
【請求項１１３】
前記移送ポートは、前記フィルター構造内のスペースと流体連通できる、請求項１１２に記載の組織処理装置。
【請求項１１４】
前記フレームは剛性材を含む、請求項１１３に記載の組織処理装置。
【請求項１１５】
前記フレームは、前記メッシュ壁の上縁を取り囲む剛性材を含む、請求項１１３に記載の組織処理装置。
【請求項１１６】
前記フレームは、前記メッシュ壁の上縁を取り囲み、かつ前記メッシュ壁の側壁の少なくとも一部分に沿って前記メッシュ壁の下部まで延びる剛性材を含み、前記フレームは前記移送ポートとしっかりと係合する、請求項１１３に記載の組織処理装置。
【請求項１１７】
前記フレームは、前記メッシュ壁の上縁を取り囲み、かつ前記メッシュ壁の側壁の少なくとも一部分に沿って前記メッシュ壁の下部まで複数の延在部を有する剛性材を含み、前記フレームは前記移送ポートとしっかりと係合する、請求項１１３に記載の組織処理装置。
【請求項１１８】
前記フレームは、前記メッシュ壁の上縁を取り囲み、かつ前記メッシュ壁の側壁の少なくとも一部分に沿って前記メッシュ壁の下部まで延びる剛性材を含み、前記フレームは前記移送ポート及び前記容器の下部としっかりと係合する、請求項１１３に記載の組織処理装置。
【請求項１１９】
前記フレームは、前記メッシュ壁の上縁を取り囲み、かつ前記メッシュ壁の側壁の少なくとも一部分に沿って前記メッシュ壁の下部まで複数の延在部を有する剛性材を含み、前記フレームは前記移送ポート及び前記容器の下部としっかりと係合する、請求項１１３に記載の組織処理装置。
【請求項１２０】
組織処理装置であって、
容器であって、
組織を保持するための内容積を取り囲む外壁、及び
組織を処理するためのフィルター構造を含む、前記容器、及び
流れ管理デバイスであって、
貫通している複数の第１の開口部を有する第１のバリア壁、
貫通している複数の第２の開口部を有する第２のバリア壁、及び
貫通している１つ以上の第３の開口部を有する第３のバリア壁を含む、前記流れ管理デバイス
を含み、
前記第１のバリア壁と前記第２のバリア壁と前記第３のバリア壁は、機能的に接続されており、前記第３のバリア壁を第１の位置に設定すると、第１のサブセットの前記複数の第１の開口部が第１のサブセットの前記複数の第２の開口部と流体連通し、前記第３のバリア壁を第２の位置に設定すると、第２のサブセットの前記複数の第１の開口部が第２のサブセットの前記複数の第２の開口部と流体連通し、前記第３のバリア壁を第３の位置に設定すると、第３のサブセットの前記複数の第１の開口部が第３のサブセットの前記複数の第２の開口部と流体連通する、前記組織処理装置。
【請求項１２１】
さらに、前記第１のバリア壁と前記第２のバリア壁と前記第３のバリア壁を機能的に接続する回転式接続部を含む、請求項１２０に記載の組織処理装置。
【請求項１２２】
さらに、前記第１のバリア壁と前記第３のバリア壁または前記第２のバリア壁と前記第３のバリア壁との間を物質が通過するのを阻止する複数のシールを含む、請求項１２０に記載の組織処理装置。
【請求項１２３】
前記第１のバリア壁、前記第２のバリア壁、及び前記第３のバリア壁のうちの少なくとも１つが、複数の凹部分を含み、
前記第１のバリア壁を第４の位置に設定すると、前記複数のシールが前記複数の凹部分に嵌り、どの前記複数の第１の開口部も第２の開口部と流体連通していない、請求項１２２に記載の組織処理装置。
【請求項１２４】
さらに、組織の洗浄または処理を容易にする少なくとも１つの混合ブレードを含む、請求項１２０に記載の組織処理装置。
【請求項１２５】
前記第３のバリア壁の前記第１の位置、前記第２の位置、及び前記第３の位置は、組織洗浄または処理手順の方法ステップに対応する、請求項１２０に記載の組織処理装置。
【請求項１２６】
前記第３のバリア壁の前記第１の位置は、前記組織洗浄または処理手順の組織吸入ステップに対応する、請求項１２５に記載の組織処理装置。
【請求項１２７】
前記第３のバリア壁の前記第２の位置は、前記組織洗浄または処理手順の組織洗浄ステップに対応する、請求項１２５に記載の組織処理装置。
【請求項１２８】
前記第３のバリア壁の前記第３の位置は、前記組織洗浄または処理手順の、前記容器から組織が移送されるステップに対応する、請求項１２５に記載の組織処理装置。
【請求項１２９】
さらに、前記内容積と流体連通している移送ポートを含む、請求項１２０に記載の組織処理装置。
【請求項１３０】
さらに、複数のポートを含み、各ポートは前記複数の第１の開口部のうちの１つと流体連通している、請求項１２０に記載の組織処理装置。
【請求項１３１】
前記組織処理装置は、医療用に滅菌されている、請求項１２０に記載の組織処理装置。
【請求項１３２】
前記容器は、分割壁により分割されている第１のチャンバーと第２のチャンバーとを含む、請求項１２０に記載の組織処理装置。
【請求項１３３】
前記分割壁は、少なくとも部分的には前記フィルター構造により画定される、請求項１３２に記載の組織処理装置。
【請求項１３４】
前記フィルター構造は、メッシュ壁、及び前記メッシュ壁を支持するフレームを含む、請求項１２０に記載の組織処理装置。
【請求項１３５】
前記フレームは剛性材を含む、請求項１３４に記載の組織処理装置。
【請求項１３６】
前記フレームは、前記メッシュ壁の上縁を取り囲む剛性材を含む、請求項１３４に記載の組織処理装置。
【請求項１３７】
前記フレームは、前記メッシュ壁の上縁を取り囲み、かつ前記メッシュ壁の側壁の少なくとも一部分に沿って前記メッシュ壁の下部まで延びる剛性材を含む、請求項１３４に記載の組織処理装置。
【請求項１３８】
前記フレームは、前記メッシュ壁の上縁を取り囲み、かつ前記メッシュ壁の側壁の少なくとも一部分に沿って前記メッシュ壁の下部まで複数の延在部を有する剛性材を含む、請求項１３４に記載の組織処理装置。
【請求項１３９】
さらに、前記容器の下部に移送ポートを含む、請求項１２０に記載の組織処理装置。
【請求項１４０】
前記移送ポートは、前記フィルター構造内のスペースと流体連通できる、請求項１３９に記載の組織処理装置。
【請求項１４１】
前記フィルター構造は、メッシュ壁、及び前記メッシュ壁を支持するフレームを含む、請求項１４０に記載の組織処理装置。
【請求項１４２】
前記フレームは剛性材を含む、請求項１４０に記載の組織処理装置。
【請求項１４３】
前記フレームは、前記メッシュ壁の上縁を取り囲む剛性材を含む、請求項１４０に記載の組織処理装置。
【請求項１４４】
前記フレームは、前記メッシュ壁の上縁を取り囲み、かつ前記メッシュ壁の側壁の少なくとも一部分に沿って前記メッシュ壁の下部まで延びる剛性材を含み、前記フレームは前記移送ポートとしっかりと係合する、請求項１４０に記載の組織処理装置。
【請求項１４５】
前記フレームは、前記メッシュ壁の上縁を取り囲み、かつ前記メッシュ壁の側壁の少なくとも一部分に沿って前記メッシュ壁の下部まで複数の延在部を有する剛性材を含み、前記フレームは前記移送ポートとしっかりと係合する、請求項１４０に記載の組織処理装置。
【請求項１４６】
前記フレームは、前記メッシュ壁の上縁を取り囲み、かつ前記メッシュ壁の側壁の少なくとも一部分に沿って前記メッシュ壁の下部まで延びる剛性材を含み、前記フレームは前記移送ポート及び前記容器の下部としっかりと係合する、請求項１４０に記載の組織処理装置。
【請求項１４７】
前記フレームは、前記メッシュ壁の上縁を取り囲み、かつ前記メッシュ壁の側壁の少なくとも一部分に沿って前記メッシュ壁の下部まで複数の延在部を有する剛性材を含み、前記フレームは前記移送ポート及び前記容器の下部としっかりと係合する、請求項１４０に記載の組織処理装置。
【請求項１４８】
さらに、幅広の基部を含む、請求項１〜２６、３５〜６２、８６〜９０、または１０５〜１４７のいずれか１項に記載の組織処理装置。
【請求項１４９】
前記幅広の基部は、前記容器の最下部の最大幅よりも少なくとも１０％、少なくとも２０％、少なくとも３０％、少なくとも４０％大きい最大幅を有する、請求項１４８に記載の組織処理装置。
【請求項１５０】
前記幅広の基部は、前記処理装置の上部の最大幅よりも少なくとも１０％、少なくとも２０％、少なくとも３０％、少なくとも４０％大きい最大幅を有する、請求項１４８に記載の組織処理装置。
【発明の詳細な説明】
【技術分野】
【０００１】
本願は、２０１５年１０月２１日に出願された米国特許仮出願第６２／２４４，３９８号、及び２０１６年８月３０日に出願された同第６２／３８１，１１６号の優先権を主張する。両出願の全文を参照により本明細書に援用する。
【０００２】
本願は、組織処理及び清浄用デバイスなどの医療機器への及び医療機器からの流体送達を制御する装置及び方法に関する。
【背景技術】
【０００３】
手術手順によっては、チューブ、ホース、または他の導管を用いて、患者と治療装置またはデバイス間で、または複数の装置やデバイス間で、流体、気体、及び／または組織産物の移送を要する。入力及び出力ポートとホースの接続及び切断を要する多ステップ法の手術手順もある。たとえば、一部の脂肪組織移送装置を用いる場合、手術担当者は１００以上のユーザー・アクションと決定の組合せを実行しなければならない場合もある。これらのユーザー・アクションの一部には、真空源のオンオフ、あるいは組織または洗浄液を組織ストレージ及び処理容器に加えるかまたは回収することが含まれる。
【０００４】
チューブの接続状態を把握することは、一部の手術手順では医師にとって負担になる。チューブ接続の管理に必要なユーザー努力は少なくなく、手順の実施にかかる合計時間が延びることもある。カラーコードなどの整理法は存在するものの、手順中の複数の時点で個々のチューブの状態を評価しなければならない負担をなくすことはできない。
【発明の概要】
【０００５】
本発明の一実施形態では、組織処理装置が、容器、及び流れ管理デバイスを含む。容器は、組織を保持するための内容積を取り囲む外壁を含む。容器は、組織を処理するためのフィルター構造も含む。流れ管理デバイスは、貫通している複数の第１の開口部を有する第１のプレートを含む。流れ管理デバイスは、貫通している複数の第２の開口部を有する第２のプレートも含む。流れ管理デバイスは、貫通している１つ以上の第３の開口部を有する第３のプレートも含む。第１のプレートと第２のプレートと第３のプレートは、機能的に接続されている。第３のプレートを第１の位置に設定すると、第１のサブセットの複数の第１の開口部が第１のサブセットの複数の第２の開口部と流体連通する。第３のプレートを第２の位置に設定すると、第２のサブセットの複数の第１の開口部が第２のサブセットの複数の第２の開口部と流体連通する。第３のプレートを第３の位置に設定すると、第３のサブセットの複数の第１の開口部が第３のサブセットの複数の第２の開口部と流体連通する。
【０００６】
本発明の一実施形態では、流れ管理デバイスが、貫通している複数の第１の開口部を有する第１のプレートを含む。流れ管理デバイスは、貫通している複数の第２の開口部を有する第２のプレートも含む。流れ管理デバイスは、貫通している１つ以上の第３の開口部を有する第３のプレートも含む。第１のプレートと第２のプレートと第３のプレートは、機能的に接続されている。第３のプレートを第１の位置に設定すると、第１のサブセットの複数の第１の開口部が第１のサブセットの複数の第２の開口部と流体連通する。第３のプレートを第２の位置に設定すると、第２のサブセットの複数の第１の開口部が第２のサブセットの複数の第２の開口部と流体連通する。第３のプレートを第３の位置に設定すると、第３のサブセットの複数の第１の開口部が第３のサブセットの複数の第２の開口部と流体連通する。
【０００７】
本発明の一実施形態では、組織処理装置が、容器、及びチューブ管理デバイスを含む。容器は、組織を保持するための内容積を取り囲む外壁、及び組織を処理するためのフィルター構造を含む。チューブ管理デバイスは、複数のチューブ貫通孔を有するチューブ制限プレート、及び複数のチューブ貫通孔を有するチューブ安定プレートを含む。複数の流れ制限デバイスが、複数のチューブ貫通孔に隣接してチューブ制限プレートに設置されている。チューブ管理デバイスはさらに、多位置スイッチを含む。複数のチューブがチューブ貫通孔を通過する。さらに、多位置スイッチを第１の位置に設定すると、複数の流れ制限デバイスが第１のサブセットの複数のチューブ内の流れを制限して、患者から内容積へと組織が移送され、多位置スイッチを第２の位置に設定すると、複数の流れ制限デバイスが第２のサブセットの複数のチューブ内の流れを制限して、内容積において組織の処理が可能になり、多位置スイッチを第３の位置に設定すると、複数の流れ制限デバイスが第３のサブセットの複数のチューブ内の流れを制限して、組織を内容積から移送できるようになる。
【０００８】
本発明の一実施形態では、手術用導管を管理する方法を説明する。方法は、複数のチューブ及び複数の流れ制限デバイスを、流れ制限デバイスそれぞれを複数のチューブのうちの少なくとも１本に対し近位に、デバイス本体内に設けることを含む。方法は、多位置スイッチを設けることも含み、第１のサブセットの複数のチューブ内の流れは、多位置スイッチが第１の位置にあるときに、複数の流れ制限デバイスにより制限され、第１のサブセットとは異なる第２のサブセットの複数のチューブ内の流れは、多位置スイッチが第２の位置にあるときに、複数の流れ制限デバイスにより制限される。方法は、多位置スイッチの第１の位置から多位置スイッチの第２の位置に切り換えることも含む。
【０００９】
本発明の一実施形態では、チューブ管理デバイスが、複数のチューブ貫通孔を有するチューブ制限プレート、及び複数のチューブ貫通孔を有するチューブ安定プレートを含む。複数の流れ制限デバイスが、複数のチューブ貫通孔に隣接してチューブ制限プレートに設置されている。チューブ管理デバイスは、多位置スイッチ、及び複数のチューブ貫通孔を通過する複数のチューブも含む。チューブ管理デバイスの多位置スイッチを第１の位置に設定すると、複数の流れ制限デバイスが第１のサブセットの複数のチューブ内の流れを制限し、多位置スイッチを第２の位置に設定すると、複数の流れ制限デバイスが第２のサブセットの複数のチューブ内の流れを制限し、多位置スイッチを第３の位置に設定すると、複数の流れ制限デバイスが第３のサブセットの複数のチューブ内の流れを制限する。
【００１０】
本発明の一実施形態では、組織処理装置が、容器、及び流れ管理デバイスを含む。容器は、組織を保持するための内容積を取り囲む外壁を含む。容器は、組織を処理するためのフィルター構造も含む。流れ管理デバイスは、貫通している複数の第１の開口部を有する第１のプレートを含む。流れ管理デバイスは、貫通している複数の第２の開口部を有する第２のプレートも含む。第１のプレートと第２のプレートは機能的に接続されている。第１のプレートを第１の位置に設定すると、第１のサブセットの複数の第１の開口部が第１のサブセットの複数の第２の開口部と流体連通する。第１のプレートを第２の位置に設定すると、第２のサブセットの複数の第１の開口部が第２のサブセットの複数の第２の開口部と流体連通する。第１のプレートを第３の位置に設定すると、第３のサブセットの複数の第１の開口部が第３のサブセットの複数の第２の開口部と流体連通する。
【００１１】
本発明の一実施形態では、流れ管理デバイスが、貫通している複数の第１の開口部を有する第１のプレートを含む。流れ管理デバイスは、貫通している複数の第２の開口部を有する第２のプレートも含む。第１のプレートと第２のプレートは機能的に接続されている。第１のプレートを第１の位置に設定すると、第１のサブセットの複数の第１の開口部が第１のサブセットの複数の第２の開口部と流体連通する。第１のプレートを第２の位置に設定すると、第２のサブセットの複数の第１の開口部が第２のサブセットの複数の第２の開口部と流体連通する。第１のプレートを第３の位置に設定すると、第３のサブセットの複数の第１の開口部が第３のサブセットの複数の第２の開口部と流体連通する。
【００１２】
本発明の一実施形態では、流れ管理デバイスが、複数の第１の開口部及び複数の第２の開口部を含む本体を含む。流れ管理デバイスは、多位置スイッチも含む。流れ管理デバイスはまた、本体内に、多位置スイッチに連結されているスピンドルを含み、該スピンドルは複数の第３の開口部を含んでいる。多位置スイッチを第１の位置に設定すると、第１のサブセットの複数の第１の開口部が第１のサブセットの複数の第２の開口部と、第１のサブセットの複数の第３の開口部を介して流体連通する。多位置スイッチを第２の位置に設定すると、第２のサブセットの複数の第１の開口部が第２のサブセットの複数の第２の開口部と、第２のサブセットの複数の第３の開口部を介して流体連通する。多位置スイッチを第３の位置に設定すると、第３のサブセットの複数の第１の開口部が第３のサブセットの複数の第２の開口部と、第３のサブセットの複数の第３の開口部を介して流体連通する。
【００１３】
本発明の一実施形態では、流れ管理デバイスが、複数のダイヤフラム・ユニットを含む。各ダイヤフラム・ユニットは、可撓性ダイヤフラム、第１の開口部、及び第２の開口部を含む。ダイヤフラム・ユニットは、第１の開口部と第２の開口部が流体連通する開位置、及び第１の開口部と第２の開口部が流体連通しない閉位置を有する。流れ管理デバイスは、１つ以上の突起を含む回転プレートも含む。各突起は、ダイヤフラム・ユニットの可撓性ダイヤフラムを押圧してダイヤフラム・ユニットを閉位置にすることができる。回転プレートを第１の位置まで回転させると、第１のサブセットのダイヤフラム・ユニットが閉位置になる。回転プレートを第２の位置まで回転させると、第２のサブセットのダイヤフラム・ユニットが閉位置になる。回転プレートを第３の位置まで回転させると、第３のサブセットのダイヤフラム・ユニットが閉位置になる。
【００１４】
本発明の一実施形態では、組織処理デバイスが、容器を含む。容器は、組織を保持するための内容積を取り囲む外壁、及び組織を処理するためのフィルター構造を含む。フィルター構造は、メッシュ壁、及びメッシュ壁を支持するフレームを含む。
【００１５】
本発明の一実施形態では、組織処理装置が、容器、及び流れ管理デバイスを含む。容器は、組織を保持するための内容積を取り囲む外壁、及び組織を処理するためのフィルター構造を含む。流れ管理デバイスは、貫通している複数の第１の開口部を有する第１のバリア壁を含む。流れ管理デバイスは、貫通している複数の第２の開口部を有する第２のバリア壁を含む。流れ管理デバイスは、貫通している１つ以上の第３の開口部を有する第３のバリア壁を含む。第１のバリア壁と第２のバリア壁と第３のバリア壁は、機能的に接続されている。第３のバリア壁を第１の位置に設定すると、第１のサブセットの複数の第１の開口部が第１のサブセットの複数の第２の開口部と流体連通する。第３のバリア壁を第２の位置に設定すると、第２のサブセットの複数の第１の開口部が第２のサブセットの複数の第２の開口部と流体連通する。第３のバリア壁を第３の位置に設定すると、第３のサブセットの複数の第１の開口部が第３のサブセットの複数の第２の開口部と流体連通する。
【図面の簡単な説明】
【００１６】
【図１】様々な実施形態による組織処理装置の図である。
【図２】様々な実施形態によるチューブ管理デバイスの分解図である。
【図３】本発明によるチューブ管理装置の構成要素であるチューブ制限プレート及びチューブ安定プレートの一実施形態の上面図である。
【図４】様々な実施形態で説明する例示的な組織移送装置における各種装置入力状態を決定するための決定マトリックスである。
【図５】本発明による代替チューブ管理デバイスの分解図である。
【図６】様々な実施形態による、図５に示すチューブ管理デバイスの変更形態の図である。
【図７】図６に示す実施形態のチューブ管理デバイスのチューブ制限プレート及びチューブ安定プレートの上面図である。
【図８】様々な実施形態によるチューブ管理デバイスの図である。
【図９Ａ】本開示の様々な実施形態による、流れ管理デバイスを含む組織処理デバイスの図である。
【図９Ｂ】本開示の様々な実施形態による、図９Ａの流れ管理デバイスの切欠き図である。
【図９Ｃ】本開示のいくつかの実施形態による、図９Ｂに示す流れ管理デバイスの構成要素の部分図である。
【図９Ｄ】本開示のいくつかの実施形態による、図９Ｂの流れ管理デバイスの側断面図である。
【図１０Ａ】本開示の様々な実施形態による、流れ管理デバイスの各部分の断面図である。
【図１０Ｂ】本開示の様々な実施形態による、流れ管理デバイスの各部分の断面図である。
【図１１Ａ】本開示の様々な実施形態による、一体型流れ管理デバイスを含む組織処理装置の切欠き図である。
【図１１Ｂ】図１１Ａの組織処理装置の分解図である。
【図１２Ａ】本開示の様々な実施形態による、流れ管理デバイスの下位組立体を含む組織処理装置の切欠き図である。
【図１２Ｂ】図１２Ａの組織処理装置の分解図である。
【図１３】図１３Ａは本開示の様々な実施形態による、スピンドルを含む流れ管理デバイスの図である。図１３Ｂは図１３Ａに示す流れ管理デバイスの断面図である。
【図１４Ａ】本開示の様々な実施形態による、開位置のダイヤフラム・バルブを含む流れ管理デバイスの断面図である。
【図１４Ｂ】本開示の様々な実施形態による、閉位置のダイヤフラム・バルブを含む流れ管理デバイスの断面図である。
【図１５Ａ】本開示の様々な実施形態による、タービンを含む組織処理装置の図である。
【図１５Ｂ】本開示の様々な実施形態による、混合ブレードの台とタービンの接続を示す、図１５Ａの装置の一部分の拡大図である。
【図１５Ｃ】本開示の様々な実施形態による、図１５Ａの装置に組み込まれたタービンの切欠き図である。
【図１５Ｄ】本開示の様々な実施形態による、タービンと混合シャフトのギア装置による係合を示す図である。
【図１６Ａ】本開示の様々な実施形態による組織処理装置で使用される様々なメッシュフィルターの図である。
【図１６Ｂ】本開示の様々な実施形態による組織処理装置で使用される様々なメッシュフィルターの図である。
【図１７Ａ】本開示の様々な実施形態による分解後のフィルター構造の図である。
【図１７Ｂ】本開示の様々な実施形態による組立て後のフィルター構造の図である。
【図１７Ｃ】フィルター構造を含む組織処理装置の図である。
【図１８Ａ】本開示の様々な実施形態による組織処理装置で使用される円錐形メッシュフィルターの分解図である。
【図１８Ｂ】本開示の様々な実施形態による組織処理装置における図１８Ａのフィルターの配置の図である。
【発明を実施するための形態】
【００１７】
次に、本開示による特定の例示的な実施形態を詳しく見ていく。添付図面で例を示しているものもある。可能な場合はすべて、全図面を通して同じ参照番号で同じまたは類似の部品を指す。
【００１８】
本願では、特に断らない限り、単数形の使用に複数形を含む。本願では、特に断らない限り、「ｏｒ」の使用は「ａｎｄ／ｏｒ」を意味する。さらに、「ｉｎｃｌｕｄｉｎｇ」という用語ならびに語形変化の「ｉｎｃｌｕｄｅｄ」や「ｉｎｃｌｕｄｅｓ」は、限定ではない。本明細書で用いるセクション見出しの目的は構成のみであり、本明細書で説明する主題を限定するものと解釈してはならない。本願で引用する、限定ではないが、特許、特許出願、論文、本、及び専門書などのすべての文書またはその一部は、あらゆる目的で参照により本明細書にその全文を明白に援用する。
【００１９】
本明細書では、「脂肪組織」は、あらゆる手段、たとえば脂肪吸引及び／または腫脹脂肪吸引などにより得られる脂肪組織を指す。さらに、脂肪組織は、実質的にインタクトの場合もあるし、たとえば、食塩水、抗菌剤、界面活性剤、または他の剤による洗浄により、鎮痛剤、抗菌剤、及び抗炎症剤などの治療剤の付与により、何らかの細胞または無細胞構成要素の除去により、あるいは回収法そのものにより、たとえば脂肪吸引中または腫脹脂肪吸引中の破壊または変化により、変化している場合もある。脂肪組織は、自家組織、同種組織、または異種組織（たとえばブタ組織）の場合がある。
【００２０】
上述したように、手術手順によっては、チューブ、ホース、または他の導管を用いて、患者と治療装置またはデバイス間で、または複数の装置やデバイス間で、流体、気体、及び／または組織産物の移送を要する。多ステップ手順は珍しくなく、入力及び出力ポートとホースの接続及び切断を要する場合がある。たとえば、脂肪組織を移送し処理する（たとえば脂肪洗浄）装置は、真空源のオンオフ、あるいは組織または洗浄液を組織ストレージ及び処理容器に加えるかまたは回収することを含む１００以上のユーザー・アクションと決定の組合せを要する場合もある。手術または医療手順中のチューブ接続の維持及び確認は、そうした手順が時間に左右される要素をもつ場合は特に、厄介になり得る。
【００２１】
様々なヒト及び動物の組織を用いて患者治療用の産物を製造することができる。たとえば、様々な組織産物は、様々な疾患及び／または（たとえば外傷、手術、委縮、及び／または長期の摩耗や変性からの）構造的損傷により破損しまたは失われたヒト組織の再生、修復、増大、補強、及び／または処理のため、製造されている。自家脂肪移植などの脂肪移植は、顔の充填物、豊胸、臀部増大／整形、他の組織部位の増大、乳腺腫瘍摘出の傷の補正、頭部顔面の傷の補正、及び脂肪吸引術（ｌｉｐｏｐｌａｓｔｙ）の傷（たとえば窪み）の補正といった様々な臨床用途に役立ち得る。
【００２２】
自家脂肪移植用の組織を調製するために、組織清浄及び処理をしなければならない。移植法は、一般に、シリンジまたはカニューレを用いて患者から組織を回収するなどのステップを含む。回収された組織は組織処理容器へと引き込まれ、そこで組織の不要な構成要素が分離され、かつ／または様々な溶液を用いて組織を清浄することができる。一般的な装置は、濾過及び分離用のメッシュ、混合ブレードに接続されたクランク、ならびに（たとえば処理流体を加えるかまたは回収し、組織を移送する）いくつかの入力及び出力ポートを含む場合がある。組織は、十分な調製後、容器から回収し、同患者に注入または移植しなければならない。移送ステップ中、吸引デバイスは組織を一か所から別の場所に移動させるのに役立つ。しかし、処理ステップ中は陰圧を遮断することが望ましい。さらに、どの所与のステップでも使用されていない組織輸送チューブは、装置の滅菌を維持するために遮断しておかねばならない。
【００２３】
図１を参照すると、組織処理装置１００の例示的な実施形態が示されている。図示のように、組織処理装置１００は、内容積を取り囲む外壁１１０を有する容器を含むことができる。容器の内部はまた、フィルター、混合ブレード、ホース、及び他の構成要素を収容して、組織の洗浄及び調整を可能にすることができる。装置１００は、装置１００の操作を容易にするようにチューブ管理デバイス１０１を含むことができる。チューブは装置１００の外部からチューブ管理デバイス１０１のポート１０２を通って内部に入ることができ、チューブ管理デバイス１０１内のチューブ制限デバイス（以下で述べる）が、所与の装置構成でどのチューブを開放し、どのチューブを遮断するかを制御することができる。装置構成は、多位置スイッチ１０３の設定により決定される。いくつかの実施形態では、装置１００は、ユーザーが操作しやすいように取っ手を設けられる場合がある。いくつかの実施形態では、チューブ管理デバイス１０１は、少なくとも１気圧（すなわち約７５ｃｍＨｇ）の陰圧に対し遮断されたチューブを漏出なく保持できる。
【００２４】
本明細書では、「チューブ」、「ホース」、「導管」、または類似の言葉を交換可能に用いるが、これは流体、気体、及び／または組織産物の通過を許容するようにされたルーメンを有するあらゆる通路を指すものと理解されよう。
【００２５】
チューブ管理デバイス１０１の一実施形態の分解図を図２に示す。チューブ管理デバイス１０１は、ポート１０２ａ、１０２ｂ、１０２ｃ、及び多位置スイッチ１０３を含むことができる。チューブは、ポート１０２ａ、１０２ｂ、１０２ｃを通過してから、チューブ制限プレート１０４、そしてチューブ安定プレート１０７を通過した後、デバイス１０１から出ることができる。多位置スイッチ１０３の位置に基づき、チューブ制限プレート１０４の制限要素１０５が各チューブ内の流れを許容または遮断することができる。いくつかの実施形態では、チューブ管理デバイス１０１の中身は、本体を形成する外壁１０８内に収容されている場合がある。代替の実施形態では、チューブ管理デバイス１０１の構成要素を容器１１０の構造に直接取り付けることができる。
【００２６】
ポート１０２ａ、１０２ｂ、１０２ｃは様々な構成を有することができる。様々な実施形態によると、ポート１０２ａ、１０２ｂ、１０２ｃは、まっすぐな壁でもとげ付きでも、ねじを切っていてもいなくてもよく、また取付具、ルアー型取付具、加締め取付具、または特定の用途に好適な任意の他のタイプのコネクターを有していない場合がある。図ではポート１０２ａ、１０２ｂ、１０２ｃはチューブ管理デバイス１０１の本体から外部へと伸長しているが、ポートは、ねじを切ったまたは切っていない孔または凹所であってもよく、あるいはデバイス１０１の表面から本体内へと内向きに伸長していてもよい。図２では３つのポートしか示していないが、特定の用途に必要なチューブ数に合うあらゆるポート数を選択することができる。限定ではないが、気体、液体、化学物質溶液、及び生体組織などの物質は、多位置スイッチの位置及び医療手順の任意の特定のステップの要件に応じて、ポート１０２ａ、１０２ｂ、１０２ｃに流入または流出することができる。
【００２７】
多位置スイッチ１０３の位置により、異なるデバイス構成間の切換えができる。いくつかの実施形態では、多位置スイッチ１０３は回転体またはノブであり、該回転体の回転角度がスイッチの状態を決定する。様々な実施形態によると、多位置スイッチ１０３は、適切な連結により、デバイスを通過しているチューブの開度の状態を変えることができるどのような機械スイッチまたは電気スイッチ（回転または直線動スイッチを含む）でもよい。いくつかの実施形態では、多位置スイッチ１０３は、ユーザー、特に手術用手袋をはめているユーザーが操作しやすいように、滑り止め把持部または同様の要素を含むことができる。多位置スイッチ１０３の位置は、手順のステップに対応できる。たとえば、手順のステップには、脂肪吸引／組織抽出、保持及び混合、潅注、ならびに吸引／除去ステップが含まれる場合がある。
【００２８】
チューブ制限プレート１０４は、プレート１０４のチューブ貫通孔を通過しているチューブ内の流れを、流れ制限デバイスにより、遮断または許容することができる。様々な実施形態によると、また図２及び図３に示すように、チューブ制限プレート１０４は、流れ制限デバイス１０５を丸みのある半径方向スロットとして設けられる場合がある。スロット１０５は、チューブ制限プレート１０４の各角度位置で、チューブに対するスロットの所望の作用に応じて異なるスロット幅を有することができる。たとえば、各スロット１０５は、チューブ内の無制限の流れかまたはチューブ内の流れの完全遮断のいずれかに対応する２つのスロット幅を含むことができる。あるいは、各スロットは、異なるレベルの流れ制限に対応するある範囲の幅を有することができる。いくつかの実施形態では、チューブ制限プレート１０４は、アクリル材料を含むことができる。
【００２９】
図３では、チューブ制限プレート１０４をチューブ安定プレート１０７に重ねた状態を示し、スロット１０５ａ、１０５ｂ、１０５ｃが示されている。図３に示すチューブ制限プレート１０４の例示的実施形態は、３つの位置を有する多位置スイッチ１０３を有するチューブ管理デバイス１０１に好適な、丸みのある半径方向スロット１０５ａ、１０５ｂ、１０５ｃとしてのチューブ貫通孔を示している。チューブ制限プレート１０４の丸みのある半径方向スロット１０５ａ、１０５ｂ、１０５ｃは、この上面図では、チューブ安定プレート１０７のチューブ貫通孔１１５ａ、１１５ｂ、１１５ｃに重なっている。この図では、チューブ制限プレート１０４のチューブ安定プレート１０７に対する位置は、スロット１０５ａ、１０５ｂ、１０５ｃを、チューブ貫通孔１１５ａ、１１５ｂ、１１５ｃ上の第１の位置にする。多位置スイッチ１０３の作動により、チューブ制限プレート１０４を矢印の方向に回転させることができるが、チューブ安定プレート１０７はそのまま留まっている。したがって、半径方向スロットを必要に応じて第２の位置または第３の位置に進めることができる。一実施形態では、多位置スイッチ１０３の作動により、チューブ安定プレート１０７を回転させることができるが、チューブ制限プレート１０４はそのまま留まっている。様々な実施形態によると、装置１００は、異なるステップを有する異なる手順のための、異なる配列のスロット１０５ａ、１０５ｂ、１０５ｃを有する複数のチューブ制限プレート１０４を設けられる場合もある。これらの実施形態では、ユーザーは、用途によって、複数のチューブ制限プレート１０４のうちの１つを選択してデバイス１０１の本体１０８内に設置することができる。
【００３０】
チューブ制限プレート１０４は、多位置スイッチ１０３とかみ合うことができる位置決め要素１０６を有する場合がある。位置決め要素１０６は、丸みのある半径方向スロット１０５ａ、１０５ｂ、１０５ｃがそれぞれポート１０２ａ、１０２ｂ、１０２ｃと適切に揃うように、ユーザーがチューブ管理デバイス１０１内で多位置スイッチ１０３とチューブ制限プレートを揃えるのを補助することができる。さらに、位置決め要素１０６は、多位置スイッチの相補要素と整合できるので、スイッチの位置はチューブ管理デバイス１０１内の適切なチューブ状態を反映する。いくつかの実施形態では、位置決め要素１０６は、多位置スイッチ１０３をチューブ制限プレート１０４に固定することができるので、スイッチが回転するとこれらが共に移動する。
【００３１】
チューブ管理デバイス１０１は、チューブ安定プレート１０７を有することができる。チューブ安定プレート１０７は、チューブを通過させるチューブ貫通孔１１５を有する場合がある。いくつかの実施形態では、チューブ安定プレート１０７の各チューブ貫通孔１１５の直径を、孔１１５を通過する対応するチューブの外径と等しいかまたはほぼ等しくして、各チューブの外側の周りに圧縮することなくしっかりと嵌めることができる。チューブ安定プレート１０７はチューブを所定の位置に保持できるので、チューブ制限プレート１０４の作動または移動によりチューブが捩じれたり、向きが変わったり、または移動したりすることはできない。
【００３２】
上述したように、装置１００は、脂肪組織移送装置などの手術用装置の操作に用いることができる。したがって、脂肪組織移送法用の例示的な決定マトリックス４００を図４に示す。決定マトリックスは、脂肪移送手段のどのステップ中でも、装置のすべてのチューブの開／閉状態の決定に用いることができる。いくつかの実施形態では、図１に示すものと同様の組織処理装置１００が４つのチューブ入力を有する場合があり、これらの入力は、医療手順の所与のステップ中、開放されているかまたは遮断されているかのどちらかである。脂肪吸引または吸入４０２ステップでは、脂肪吸引カニューレへのチューブ及び吸引チューブは開放してもよく、潅注チューブ及びベントチューブは閉鎖されている。保持及び混合または洗浄４０４ステップでは、４つの入力をすべて遮断することができる。潅注または移送４０６ステップでは、脂肪吸引カニューレへのチューブ及び吸引チューブは閉鎖することができ、潅注チューブ及びベントチューブは開放してもよい。吸引／除去４０８ステップでは、脂肪吸引カニューレへのチューブ及び潅注チューブは閉鎖することができ、吸引チューブ及びベントチューブは開放してもよい。
【００３３】
したがって、及び決定マトリックス、または実施されている特定の組織処理に応じたその予測可能なバリエーションに従って、脂肪組織を処理する方法が提供される。方法は、少なくとも以下の各ステップを含むことができ、これらのステップは、本明細書で説明し本開示の図面のいずれかで示されている様々なデバイスを用いて実施することができる。方法は、第１のステップを含む場合があり、ここでデバイスは多位置スイッチ（たとえばハンドル９０３またはスイッチ１００３を参照されたい）を介して脂肪吸引モードに設定され、組織移送入力ポート及び吸引ポートが開かれる。方法は、組織を処理する第２のステップを含む場合があり、ここでスイッチは組織を保持し処理する（たとえば混合またはインキュベーションする）モードに設定される場合があり、全ポートが閉鎖され得る。方法はさらに、潅注する第３のステップ（多位置スイッチは１つ以上の潅注または流体入力ポートの開放を許容するように設定される）、及び吸引する第４のステップ（たとえば潅注または流体の回収のため）を含む場合がある。
【００３４】
しかし、様々なステップは、変更及び／または反復できることが理解されよう。たとえば、本明細書で論じるように、複数の潅注及び吸引／清浄ステップを実施してもよく、追加のポートを含むこともできる。
【００３５】
チューブ管理デバイス５０１の代替実施形態を図５に示す。チューブ管理デバイス５０１は、ポート５０２及び多位置スイッチ５０３を含むことができる。チューブは、ポート５０２を通ってチューブ制限プレート５０４及びチューブ安定プレート５０７を通過した後、デバイス５０１から出ることができる。多位置スイッチの位置に基づき、チューブ制限プレート５０４の制限要素５０５が各チューブ内の流れを許容または遮断することができる。チューブ管理デバイス５０１の中身は、本体を形成する外壁５０８内に収容されている場合がある。
【００３６】
前述の実施形態と同様に、ポートは様々な構成を有することができる。たとえば、ポート５０２は、まっすぐな壁でもとげ付きでも、ねじを切っていてもいなくてもよく、また取付具、ルアー型取付具、加締め取付具、または用途固有の要件により必要とされる任意の他のタイプのコネクターを有していない場合がある。この実施形態ではポート５０２はチューブ管理デバイス５０１の本体から外部へと伸長して図示されているが、ポートは、ねじを切ったまたは切っていない凹所または孔であってもよく、あるいはデバイス表面からデバイス５０１本体内へと内向きに伸長していてもよい。図５では３つのポートしか示していないが、特定の用途に必要なチューブ数に合うあらゆるポート数を選択することができる。限定ではないが、気体、液体、化学物質溶液、及び生体組織などの物質は、多位置スイッチの位置及び手術手順の任意の特定のステップの要件に応じて、ポート５０２に流入または流出することができる。
【００３７】
多位置スイッチ５０３の位置により、異なるデバイス構成間の切換えができる。いくつかの実施形態では、多位置スイッチ５０３は回転体またはノブであり、該回転体の回転角度がスイッチの状態を決定する。様々な実施形態によると、多位置スイッチ５０３は、適切な連結により、デバイスを通過しているチューブの開度の状態を変えることができるどのような機械スイッチまたは電気スイッチ（回転または直線動スイッチを含む）でもよい。いくつかの実施形態では、多位置スイッチ５０３は、ユーザー、特に手術用手袋をはめているユーザーが操作しやすいように、滑り止め把持部または同様の要素を含むことができる。多位置スイッチ５０３の位置は、手順のステップに対応できる。たとえば、手順のステップには、脂肪吸引／組織抽出、保持及び混合、潅注、ならびに吸引／除去ステップが含まれる場合がある。
【００３８】
チューブ制限プレート５０４は、プレートのチューブ貫通孔５１６を通過しているチューブ内の流れを、流れ制限デバイスにより、遮断または許容することができる。チューブ制限プレート５０４は、中央部分５０４ｂと回転可能に係合している外部リング５０４ａを含む場合がある。チューブは、チューブ制限プレート５０４を、流れ制限デバイスに隣接したチューブ貫通孔５１６を通って、通過することができる。様々な実施形態によると、また図５に示すように、チューブ制限プレート５０４には、流れ制限デバイスを丸みのある中央ハブ５１２として中央部分５０４ｂに、及び外部リング５０４ａに取り付けられた一体型ばね５１４を介してチューブをハブ５１２に押し付ける滑りブロック５０５を設けることができる。滑りブロック５０５は、平板、円筒、長円、球、卵形の構成として、または用途固有の要件を満たす任意の他の形状として、形作られる場合がある。いくつかの実施形態では、丸みのある中央ハブ５１２は、ポート５０２の数と等しい数の凹所を有する場合があり、各チューブは、丸みのある中央ハブの凹所に隣接したチューブ貫通孔５１６を通過することができる。一体型ばね５１２に取り付けられた滑りブロック５０５が丸みのある中央ハブ５１２の凹所と揃ったとき、ばねの力が滑りブロックを延在させてチューブに押し付けることができる。いくつかの実施形態では、チューブ制限プレート５０４の中央部分５０４ｂは、チューブ安定プレート５０７に固着されている場合がある。多位置スイッチ５０３が１つの位置から別の位置に変わるとき、チューブ制限プレート５０４の外部リング５０４ａは回転できるが、丸みのある中央ハブ５１２を含む中央部分５０４ｂはチューブ安定プレート５０７に対し回転しない。
【００３９】
様々な実施形態によると、外部リング５０４ａに一方向ラチェット機構５０９を設けることができる。ラチェット機構の歯は、チューブ制限プレート５０４の中央部分５０４ｂに配置された爪５１１と係合でき、したがって外部リング５０４ａの一方向の回転は許容されるが、反対方向の回転は阻止される。この実施形態では、爪５１１は中央部分５０４ｂに配置されて図示されているが、当業者には、爪をチューブ管理デバイス５０１全体の他の場所、たとえば多位置スイッチ５０３の内部またはチューブ安定プレート５０７などに取り付けることもできることは明白であろう。
【００４０】
チューブ管理デバイス５０１は、チューブ安定プレート５０７も含むことができる。チューブ安定プレート５０７は、チューブを通過させるチューブ貫通孔５１５を有する場合がある。いくつかの実施形態では、チューブ安定プレート５０７の各チューブ貫通孔５１５の直径を、孔を通過する対応するチューブの外径と等しいかまたはわずかに大きくして、各チューブの外側の周りに圧縮することなくしっかりと嵌めることができる。チューブ安定プレート５０７はチューブを所定の位置に保持できるので、チューブ制限プレート５０４の作動または移動によりチューブが捩じれたり、向きが変わったり、または移動したりすることはできない。
【００４１】
チューブ管理デバイスの別の実施形態を図６に示す。チューブ管理デバイス６０１は、ポート６０２及び多位置スイッチ６０３を含むことができる。デバイス６０１は、チューブ安定プレート６０７、及び流れ制限デバイスを含むチューブ制限プレート６０４を含むことができる。デバイス６０１の構成要素は、本体６０８内に囲い込むことができる。
【００４２】
ポート６０２は、チューブ管理デバイス６０１と外界の接続部である。様々な実施形態によると、ポート６０２は、まっすぐな壁でもとげ付きでも、ねじを切っていてもいなくてもよく、また取付具、ルアー型取付具、加締め取付具、または用途固有の要件により必要とされる任意の他のタイプのコネクターを有していない場合がある。この実施形態ではポート６０２はチューブ管理デバイス６０１の本体から外部へと伸長して図示されているが、ポートは、ねじを切ったまたは切っていない孔であってもよく、あるいはデバイス表面からデバイス６０１本体内へと内向きに伸長していてもよい。図６では３つのポートしか示していないが、当業者には、特定の用途に必要なチューブ数に合うあらゆる数のポート６０２を選択できることは明白になろう。限定ではないが、気体、液体、化学物質溶液、及び生体組織などの流体は、多位置スイッチの位置及び医療手順の任意の特定のステップの要件に応じて、ポート６０２に流入または流出することができる。
【００４３】
多位置スイッチ６０３の位置により、異なるデバイス構成間の切換えができる。いくつかの実施形態では、多位置スイッチ６０３は回転体またはノブであり、該回転体の回転角度がスイッチの状態を決定する。様々な実施形態によると、多位置スイッチ６０３は、適切な連結により、デバイスを通過しているチューブの開度の状態を変えることができるどのような機械スイッチまたは電気スイッチ（回転または直線動スイッチを含む）でもよい。いくつかの実施形態では、多位置スイッチ６０３は、ユーザー、特に手術用手袋をはめているユーザーが操作しやすいように、滑り止め把持部または同様の要素を含むことができる。多位置スイッチ６０３の位置は、手順のステップに対応できる。たとえば、手順のステップには、脂肪吸引／組織抽出、保持及び混合、潅注、ならびに吸引／除去ステップが含まれる場合がある。
【００４４】
チューブ制限プレート６０４は、中央部分６０４ｂと回転可能に係合している外部リング６０４ａを含む場合がある。チューブは、流れ制限デバイスに隣接したチューブ貫通孔６１６を通過することができる。様々な実施形態によると、また図６に示すように、チューブ制限プレート６０４には、流れ制限デバイスを丸みのある中央ハブ６１２として中央部分６０４ｂに、及び外部リング６０４ａに取り付けられた一体型ばね６１４を介してチューブをハブ６１２に押し付ける滑りブロック６０５を設けることができる。滑りブロック６０５は、平板、円筒、長円、球、卵形として、または用途固有の要件を満たす任意の他の形状として、形作られる場合がある。いくつかの実施形態では、丸みのある中央ハブ６１２は、ポート６０２の数と等しい数の凹所を有する場合があり、各チューブは、丸みのある中央ハブの凹所に隣接したチューブ貫通孔６１６を通過することができる。一体型ばね６１２に取り付けられた滑りブロック６０５が丸みのある中央ハブ６１２の凹所と揃ったとき、ばねの力が滑りブロックを延在させてチューブに押し付けることができる。多位置スイッチ６０３が１つの位置から別の位置に変わるとき、チューブ制限プレート６０４の外部リング６０４ａは回転できるが、丸みのある中央ハブ６１２を含む中央部分６０４ｂはチューブ安定プレート６０７に対し回転しない。様々な実施形態によると、滑りブロック６０５と一体型ばね６１４は、スペーサー６０４ｃを用いて、異なる半径方向深さに配置される場合がある。
【００４５】
いくつかの実施形態では、チューブ管理デバイス６０１は、チューブ安定プレート６０７を有することができる。チューブ安定プレート６０７は、チューブを通過させるチューブ貫通孔６１５を有する場合がある。好ましい実施形態では、チューブ安定プレート６０７の各チューブ貫通孔６１５の直径を、孔を通過する対応するチューブの外径と等しくして、各チューブの外側の周りに圧縮することなくしっかりと嵌めることができる。チューブ安定プレート６０７はチューブを所定の位置に保持できるので、チューブ制限プレート６０４の作動または移動によりチューブが捩じれたり、向きが変わったり、または移動したりすることはできない。
【００４６】
図６の実施形態のチューブ安定プレート６０７に重ねたチューブ制限プレート６０４の上面図を図７に示す。様々な実施形態によると、チューブ制限プレート６０４は、中央部分６０４ｂの丸みのある中央ハブ６１２及び関連する流れ制限デバイスに対しチューブの位置を変えられるように、スロット６１３を有することができる。こうすれば、チューブ制限プレート６０４の１つの実施形態を２つ以上の構成で用いることができる。チューブが「イン」の位置にあるとき、チューブは丸みのある中央ハブ６１２の凹所付近を通り、外部リング６０４ａから延びるスペーサー６０４ｃに取り付けられた滑りブロック６０５により閉鎖されることができる。チューブが「アウト」の位置にあるとき、チューブは丸みのある中央ハブ６１２の出っ張り部分付近を通る。この位置では、チューブは、一体型ばね６１４により外部リング６０４ａに直接取り付けられている滑りブロック６０５により閉鎖されることができる。好ましい実施形態では、スペーサー６０４ｃなしで外部リング６０４ａに直接取り付けられている滑りブロック６０５は、丸みのある中央ハブ６１２の凹所に隣接したチューブに到達できない。
【００４７】
様々な実施形態によると、外部リング６０４ａに一方向ラチェット機構６０９を設けることができる。ラチェット機構の歯は、チューブ制限プレート６０４の中央部分６０４ｂに配置された爪６１１と係合でき、したがって外部リング６０４ａの一方向の回転は許容されるが、反対方向の回転は阻止される。この実施形態では、爪６１１は中央部分６０４ｂに配置されて図示されているが、当業者には、爪をチューブ管理デバイス６０１全体の他の場所、たとえば多位置スイッチ６０３の内部またはチューブ安定プレート６０７などに取り付けることもできることは明白であろう。
【００４８】
発明者らは、手術用導管を管理する方法も企図している。方法は、いくつかのチューブ及びいくつかの流れ制限デバイスを、流れ制限デバイスそれぞれをチューブのうちの少なくとも１本に対し近位に、本体内に設けること、及び多位置スイッチを設けることを含み、第１のサブセットのチューブ内の流れは、スイッチが第１の位置にあるときに、流れ制限デバイスにより制限され、第１のサブセットとは異なる第２のサブセットのチューブ内の流れは、スイッチが第２の位置にあるときに、流れ制限デバイスにより制限される。方法はさらに、多位置スイッチの第１の位置から多位置スイッチの第２の位置に切り換えることも含む場合がある。
【００４９】
いくつかのチューブ及びいくつかの流れ制限デバイスを、流れ制限デバイスそれぞれをチューブのうちの少なくとも１本に対し近位に、本体内に設けるステップは、限定ではないが、図１〜図３に関して上述したように、チューブ管理デバイス１０１においてチューブをポート１０２に通し、流れ制限デバイス１０５を通過させることを含むことができる。
【００５０】
第１のサブセットのチューブ内の流れは、スイッチが第１の位置にあるときに、流れ制限デバイスにより制限され、第１のサブセットとは異なる第２のサブセットのチューブ内の流れは、スイッチが第２の位置にあるときに、流れ制限デバイスにより制限される、多位置スイッチを設けるステップは、限定ではないが、図１〜図３に関して上述したように、チューブ管理デバイス１０１に多位置スイッチ１０３を設けることを含むことができる。
【００５１】
多位置スイッチの第１の位置から多位置スイッチの第２の位置に切り換えるステップは、限定ではないが、図１及び図２に関して上述したように、多位置スイッチ１０３を第１の位置から第２の位置に切り換えることを含むことができる。
【００５２】
チューブ管理デバイス８０１の代替実施形態の分解図を図８に示す。チューブ管理デバイス８０１は、ポート８０２ａ、８０２ｂ、８０２ｃ、及び多位置スイッチ８０３を含むことができる。チューブ８１２は、ポート８０２ａ、８０２ｂ、８０２ｃを通過してから、チューブ制限プレート８０４及びチューブ安定プレート８０７を通過した後、デバイス８０１から出る。多位置スイッチ８０３の位置に基づき、チューブ制限プレート８０４の制限要素８０５が各チューブ８１２内の流れを許容または遮断することができる。いくつかの実施形態では、チューブ管理デバイス８０１の中身は、本体を形成する外壁８０８内に収容されている場合がある。
【００５３】
ポート８０２ａ、８０２ｂ、８０２ｃは、図２に関して上述したように様々な構成を有することができる。様々な実施形態によると、ポート８０２ａ、８０２ｂ、８０２ｃは、まっすぐな壁でもとげ付きでも、ねじを切っていてもいなくてもよく、また取付具、ルアー型取付具、加締め取付具、または特定の用途に好適な任意の他のタイプのコネクターを有していない場合がある。図ではポート８０２ａ、８０２ｂ、８０２ｃはチューブ管理デバイス８０１の本体から外部へと伸長しているが、ポートは、ねじを切ったまたは切っていない孔または凹所であってもよく、あるいはデバイス８０１の表面から本体内へと内向きに伸長していてもよい。図８では３つのポートしか示していないが、特定の用途に必要なチューブ８１２の数に合うあらゆるポート数を選択することができる。限定ではないが、気体、液体、化学物質溶液、及び生体組織などの物質は、多位置スイッチの位置及び医療手順の任意の特定のステップの要件に応じて、ポート８０２ａ、８０２ｂ、８０２ｃを通過するチューブ８１２に流入または流出することができる。
【００５４】
図２を参照して上述したように、多位置スイッチ８０３の位置により、異なるデバイス構成間の切換えができる。いくつかの実施形態では、多位置スイッチ８０３は回転体またはノブであり、該回転体の回転角度がスイッチの状態を決定する。様々な実施形態によると、多位置スイッチ８０３は、適切な連結により、チューブ８１２の開度の状態を変えることができるどのような機械スイッチまたは電気スイッチ（回転または直線動スイッチを含む）でもよい。いくつかの実施形態では、多位置スイッチ８０３は、ユーザー、特に手術用手袋をはめているユーザーが操作しやすいように、滑り止め把持部または同様の要素を含むことができる。多位置スイッチ８０３の位置は、手順のステップに対応できる。たとえば、手順のステップには、脂肪吸引／組織抽出、保持及び混合、潅注、ならびに吸引／除去ステップが含まれる場合がある。
【００５５】
チューブ制限プレート８０４は、該プレートを通過しているチューブ８１２内の流れを、流れ制限デバイスにより、遮断または許容することができる。図２及び図３に示す実施形態と同様に、チューブ制限プレート８０４は、流れ制限デバイスと、丸みのある半径方向スロット８０５としてのチューブ貫通孔の両方を設けられる場合がある。代替実施形態では、流れ制限デバイスは、図５及び図６の実施形態を参照して上述したものと同様の場合がある。スロット８０５は、チューブ制限プレート８０４の各角度位置で、チューブ８１２に対するスロットの所望の作用に応じて異なるスロット幅を有することができる。たとえば、各スロット８０５は、チューブ８１２内の無制限の流れ及びチューブ８１２内の流れの完全遮断に対応する２つのスロット幅を含むことができる。あるいは、各スロットは、異なるレベルの流れ制限に対応するある範囲の幅を有することができる。
【００５６】
チューブ制限プレート８０４は、多位置スイッチ８０３とかみ合うことができる位置決め要素８０６を有する場合がある。位置決め要素８０６は、丸みのある半径方向スロット８０５がそれぞれポート８０２ａ、８０２ｂ、８０２ｃと適切に揃うように、ユーザーがチューブ管理デバイス８０１内で多位置スイッチ８０３とチューブ制限プレート８０４を揃えるのを補助することができる。さらに、位置決め要素８０６は、多位置スイッチの相補要素と整合できるので、スイッチの位置はチューブ管理デバイス８０１内の適切なチューブ状態を反映する。いくつかの実施形態では、位置決め要素８０６は、多位置スイッチ８０３をチューブ制限プレート８０４に固定することができるので、スイッチが回転するとこれらが共に移動する。
【００５７】
チューブ管理デバイス８０１は、チューブ安定プレート８０７を有することができる。チューブ安定プレート８０７は、チューブを通過させるチューブ貫通孔８１５を有することができる。いくつかの実施形態では、チューブ安定プレート８０７の各チューブ貫通孔８１５の直径を、孔を通過する対応するチューブの外径と等しいかまたはほぼ等しくして、各チューブの外側の周りに圧縮することなくしっかりと嵌めることができる。チューブ安定プレート８０７はチューブを所定の位置に保持できるので、チューブ制限プレート８０４の作動または移動によりチューブが捩じれたり、向きが変わったり、または移動したりすることはできない。
【００５８】
チューブ管理デバイス８０１のチューブ８１２は、用途固有の要件を満たすあらゆる材料で作製することができる。チューブ８１２は、たとえば限定ではないが、ＰＶＣ、高密度ポリエチレン、ナイロン、ラテックス、シリコーン、ポリウレタン、ＴＹＧＯＮ（登録商標）、または任意の非反応性チューブまたはホースで作製することができる。図８に示すように、チューブ８１２は、ポート８０２ａ、８０２ｂ、８０２ｃから延在する場合もあるし、またはポート８０２ａ、８０２ｂ、８０２ｃ内もしくは下方で終了している場合もある。チューブ８１２はチューブ管理デバイス８０１に、たとえばポート８０２ａ、８０２ｂ、８０２ｃ、または本体８０８に、恒久的に取り付けられる場合もあるし、あるいはチューブ８１２は取り外し可能及び／または交換可能の場合もある。様々な実施形態によると、チューブ８１２は、各手順の後廃棄され、複数の手順でチューブ管理デバイス８０１を再利用できるように新しいチューブ８１２と交換される場合がある。
【００５９】
上述の実施形態は、デバイスの構成に応じてチューブ内の流れを解放または阻害するように機能するチューブ管理デバイスを含む。チューブ管理デバイスに加えて、本明細書で教示する流れ管理デバイスは、複数の第１の開口部と複数の第２の開口部の間の流れを許容または遮断することができる。第１の開口部及び第２の開口部は、液体、気体、または生体物質を輸送するために流体ポートまたはチューブに接続される場合がある。いくつかの実施形態では、第１の開口部及び第２の開口部は、それ以外では液体、気体、または生体物質の通過を阻止する静止または可動壁、プレート、または他のバリア材において画定される場合がある。さらに、たとえば上述のチューブ管理デバイスと様々な開口部を通る流れを制御する装置の組合せにより、様々な実施形態を組み合わせたり相互交換したりできる。流れ管理デバイスのいくつかの実施形態及び実装を以下に説明する。
【００６０】
図９Ａは、流れ管理デバイス９０１、キャニスター９１８、及び安定基部９１７を含む組織処理デバイス９００を示している。流れ管理デバイス９０１は、ポート９０２、及び多位置スイッチとして働くハンドル９０３を含む場合がある。ハンドル９０３を動かすことにより、ユーザーは、（たとえば医療チューブから）ポート９０２へ、そしてキャニスター９１８内への流れを許容し、止め、または妨害することができる。いくつかの実施形態では、キャニスター９１８を安定基部９１７から分離し、再び取り付けることができる。
【００６１】
図９Ｂは、図９Ａの流れ管理デバイス９０１の切欠き図であり、図９Ｃは、本開示の様々な実施形態による流れ管理デバイス９０１の構成要素の部分図である。流れ管理デバイス９０１は、第１のプレート９０４を貫通する複数の第１の開口部９０５、及び第２のプレート９０７を貫通する複数の第２の開口部９１５を含むことができる。第１のプレート９０４は、第２のプレート９０７に対し異なる回転位置に配置される場合がある。第１のプレート９０４のいくつかの位置では、複数の第１の開口部９０５のサブセットを複数の第２の開口部９１５のサブセットと流体連通させて、気体、流体、または組織物質に第１のプレート９０４及び第２のプレート９０７を通過させ、したがって処理装置への出入りを可能にする。
【００６２】
第１のプレート９０４は、第２のプレート９０７と互いに対し移動してデバイス９０１を通る流れを制御できるように、第２のプレート９０７に連結することができる。たとえば、第１のプレート９０４と第２のプレート９０７を、ピボット９１２及び固定ワッシャー９１０などの回転式接続部を用いて連結することができる。第１のプレート９０４及び第２のプレート９０７を含む流れ管理デバイス９０１は、蓋として作用して、組織処理デバイス９００を封じることができる。第２のプレート９０７が基準（たとえばキャニスター９１８）に対し回転する間、第１のプレート９０４は静止していることができる。いくつかの実施形態では、第１のプレート９０４が基準（たとえばキャニスター９１８）に対し回転する間、第２のプレート９０７は静止していることができる。いくつかの実施形態では、第１のプレート９０４と第２のプレート９０７の両方が、基準（たとえばキャニスター９１８）に対し回転することができる。いくつかの実施形態では、第１のプレート９０４及び第２のプレート９０７は、アセタールなどの低摩擦ポリマーを含む場合がある。
【００６３】
図９Ｂでは第１及び第２のプレートは丸い外周を有する平板として示されているが、第１及び第２のプレートは、本明細書で説明する目的に干渉しないあらゆる形状、寸法、または厚さにできるものとする。たとえば、複数の第１の開口部及び複数の第２の開口部は、併進、回転、摺動、またはそうではなく互いに対する位置を変えることができる壁またはバリアなどの湾曲した表面に画定することもできる。
【００６４】
さらに、これらのプレートを、あるいは、それらを貫通している開口部が揃わない限りは流体の流れを阻止できるバリア壁（複数可）に換えるかまたはそのようなバリア壁（複数可）として説明することもできる。したがって、本明細書で論じるデバイスは、第１のバリア壁９０４を貫通する複数の第１の開口部９０５、及び第２のバリア壁９０７を貫通する複数の第２の開口部９１５を含む場合がある。第１のバリア壁９０４は、第２のバリア壁９０７に対し異なる回転位置に配置される場合がある。第１のバリア壁９０４のいくつかの位置では、複数の第１の開口部９０５サブセットを複数の第２の開口部９１５のサブセットと流体連通させて、気体、流体、または組織物質に第１のバリア壁９０４及び第２のバリア壁９０７を通過させ、したがって処理装置への出入りを可能にする。
【００６５】
複数の第１の開口部９０５または複数の第２の開口部９１５はそれぞれ、一端をシール９０６で取り囲まれている場合がある。シール９０６は、Ｏリング、グロメット、または任意の好適なシール要素であってもよい。いくつかの実施形態では、シール（複数可）９０６は、熱可塑性エラストマー（ＴＰＥ）で作製でき、ツインショット成形法により第１のプレート９０４または第２のプレート９０７と同時成形できる。シール９０６は、気体、流体、または他の物質が第１のプレート９０４と第２のプレート９０７の間から漏れないようにバリアを形成することができる。第１のプレート、第２のプレート、または両方が、図９Ｄに示すように、シール９０６に適合するサイズの複数の凹部分９１３を含む場合がある。シール９０６は凹部分９１３に嵌ることができる。シール９０６が凹部分９１３に嵌っているとき、流れ管理デバイス９０１は保管状態にあり、輸送や保管中など装置が長期間使用されない場合にシール９０６に圧縮力が加わるのを防止できる。シール９０６を長時間の圧縮にさらさないことにより、シール９０６の寿命を延ばすことができる。いくつかの実施形態では、流れ管理デバイス９０１が保管状態にある間、どの第１の開口部９０５も第２の開口部９１５と流体連通していない。図９Ｄでは凹部分９０６は第２のプレート９０７に存在しているが、凹部分９０６は第１のプレート９０４でも、または第１のプレート９０４と第２のプレート９０７の両方にでも存在できるものとする。
【００６６】
第１のプレート９０４は、チューブ９１２を第１のプレート９０４に連結するためにポート９０２を含むことができる。ポート９０２は、様々な構成を有することができる。様々な実施形態によると、ポート９０２は、まっすぐな壁でもとげ付きでも、ねじを切っていてもいなくてもよく、また取付具、ルアー型取付具、加締め取付具、または特定の用途に好適な任意の他のタイプのコネクターを有していない場合がある。図ではポート９０２は流れ管理デバイス９０１の本体から外部へと伸長しているが、ポートはねじを切ったまたは切っていない孔または凹所であってもよく、あるいは第１のプレート９０４の表面から内向きに伸長していてもよい。図９Ａでは４つのポートしか示していないが、特定の用途に必要なチューブ数に合うあらゆるポート数を選択することができる。限定ではないが、気体、液体、化学物質溶液、及び生体組織などの物質は、第１のプレートまたは第２のプレートの位置、及び医療手順の任意の特定のステップの要件に応じて、ポート９０２に流入または流出することができる。
【００６７】
流れ管理デバイス９０１は、ユーザーが第１のプレート９０４と第２のプレート９０７の片方または両方をより簡単に回転させられるように、ハンドル９０３を含むことができる。ハンドル９０３は、第１のプレート９０４、第２のプレート９０７、または両方と一体形成してもよいし、または別個に形成して取り付けてもよい。
【００６８】
いくつかの実施形態では、複数の第１の開口部９０５を、第１のプレート９０４に沿う１つ以上の線９０９方向に配置してもよいし、または第１のプレート９０４で他の配列に配置してもよい。いくつかの実施形態では、複数の第２の開口部９１５を、第２のプレート９０７に沿う１つ以上の線９１９ａ〜９１９ｄ方向に配置してもよいし、第２のプレート９０７で他の好適な配列に配置してもよい。線９１９ａ〜９１９ｄはそれぞれ、たとえば、図４を参照して上述した決定マトリックス４００のステップ４０２、４０４、４０６、４０８のうちの１つに対応することができる。たとえば、第１のプレート９０４または第２のプレート９０７の位置を調節して、４つの第１の開口部９０５を含む線９０９を、２つの第２の開口部９１５を含む線９１９ａと合わせることができる。この操作により、決定マトリックス４００のステップ４０２に関して上述したように、２つの第１の開口部９０５が２つの第２の開口部９１５と流体連通することになる。線９０９を決定マトリックスの他のステップに対応する他の線９１９ｂ〜９１９ｄそれぞれと合わせることもできる。
【００６９】
図９Ａ〜図９Ｄに関して上述した流れ管理デバイス９０１は、２枚のプレートを含み、第１のプレート９０４を第２のプレート９０７に対し回転させることにより流れを制限するように機能できる。以下で教示する他の実施形態では、流れ管理デバイス１０００または装置は、第１のプレートと第２のプレートの間に挟まれた第３のプレートを含むことができる。第３のプレートの位置または回転を変えることによって、第１のプレートの開口部と第２のプレートの開口部の間で流体の流れを許容または遮断することができる。
【００７０】
図１０Ａ及び図１０Ｂは、本開示の様々な実施形態による流れ管理デバイス１０００の各部分の断面図である。図１０Ａに示すように、流れ管理デバイス１０００は、第１のプレート１００４、第２のプレート１００７、及び第３のプレート１００８を含む。いくつかの実施形態では、第１のプレート１００４は複数の第１の開口部１００５を含む場合があり、第２のプレート１００７は複数の第２の開口部１０１５を含む場合があり、第３のプレートは１つ以上の第３の開口部１０２５を含む場合がある。第３のプレート１００８を第１のプレート１００４及び第２のプレート１００７に対し異なる回転位置にすることにより、第３の開口部１０２５は第１の開口部１００５のサブセットと第２の開口部１０１５のサブセットの間の流体連通を許容するようにされることができる。
【００７１】
さらに、これらのプレートを、あるいは、それらを貫通している開口部が揃わない限りは流体の流れを阻止できるバリア壁（複数可）に換えるかまたはそのようなバリア壁（複数可）として説明することもできる。したがって、流れ管理デバイス１０００は、第１のバリア壁１００４、第２のバリア壁１００７、及び第３のバリア壁１００８を含む場合がある。いくつかの実施形態では、第１のバリア壁１００４は複数の第１の開口部１００５を含む場合があり、第２のバリア壁１００７は複数の第２の開口部１０１５を含む場合があり、第３のバリア壁は１つ以上の第３の開口部１０２５を含む場合がある。第３のバリア壁１００８を第１のバリア壁１００４及び第２のバリア壁１００７に対し異なる回転位置にすることにより、第３の開口部１０２５は第１の開口部１００５のサブセットと第２の開口部１０１５のサブセットの間の流体連通を許容するようにされることができる。
【００７２】
様々な実施形態によると、第３のプレート１００８はディスク形状とすることができ、第３のプレート１００８の１つ以上の第３の開口部１０２５を該ディスク上で同じ半径方向位置に配列しても異なる半径方向位置に配列してもよい。いくつかの実施形態では、第３のプレート１００８は回転できるが、第１のプレート１００４及び第２のプレート１００７は静止している。
【００７３】
いくつかの実施形態では、１つ以上の第３の開口部１０２５は、第３のプレート１００８の片面または両面でシール１００６に取り囲まれている場合がある。いくつかの実施形態では、シール１００６は、Ｏリング、グロメット、または任意の好適なシール要素の場合がある。シール１００６は、気体、流体、または他の物質が第１のプレート１００４と第３のプレート１００８の間から、または第２のプレート１００７と第３のプレート１００８の間から漏れないようにバリアを形成することができる。いくつかの実施形態では、第１のプレート１００４、第２のプレート１００７、または第３のプレート１００８は、単独で、またはあらゆる組合せで、シール１００６に適合するサイズの複数の凹部分を含む場合がある。凹部分は、図９Ｄに関して上述したように機能して、シール１００６が長期間にわたり圧縮を受けないように保護することができる。いくつかの実施形態では、流れ管理デバイス１０００が保管状態にある間、どの第１の開口部１００５も第３のプレート１００８に設置された第３の開口部１０２５とも第２の開口部１０１５とも流体連通していない。
【００７４】
いくつかの実施形態では、第１のプレート１００４は、チューブ１０１２を第１のプレート１００４に連結するために、図９Ａを参照して上述したポート９０２と同様の１つ以上のポート１００２を含む場合がある。１つ以上のポートはそれぞれ、第１のプレート１００４の複数の第１の開口部１００５のうちの１つと流体連通することができる。いくつかの実施形態では、第１のプレート１００４は、側壁１０１８に連結されて、包囲された組織処理デバイスを形成することができる。
【００７５】
多位置スイッチ１００３は、第３のプレート１００８を第１のプレート１００４及び第２のプレート１００７に対し回転させることができる。多位置スイッチ１００３は、回転するノブまたはダイアルを含む場合があり、またはユーザーが握って回転させることができるハンドルを含む場合がある。
【００７６】
一実施形態では、デバイスは、フィルター、メンブレン、及び／または一体壁により分離された少なくとも２つのチャンバーを含む場合がある。２枚以上のプレートの様々な開口部同士を整合させることにより、チャンバーへのアクセスを制御することができる。チャンバーは、互いに隣り合わせの左右の構成か、または一方のチャンバーが他方のチャンバーと上下に重なって配置される場合がある。あるいは、以下で説明するように、第１のチャンバーを第２のチャンバー内に配置することもできる。
【００７７】
図１０Ａでは、第１の開口部１００５、第２の開口部１０１５、及び第３の開口部１０２５により形成された合成開口部を利用して、たとえば真空ポンプまたは施設に内設された真空を用いて、容器１０１８の内部に真空を引くことができる。真空を他方のチャンバーに向けることもできる。様々な実施形態によると、第２のプレート１００７は、内部メッシュ１０２０を支持するフレームとして作用する場合がある。内部メッシュ１０２０は、組織産物などの物質を収容でき、また流体の通過も許容する。いくつかの実施形態では、移送ポートが、容器の内容積またはメッシュと流体連通することができる。いくつかの実施形態では、移送ポートは、内部メッシュ１０２０内部に画定された内側チャンバーと流体連通する場合がある。あるいはまたはさらに、本明細書で説明するデバイスは、内部メッシュ１０２０の外側の容器内部と流体連通する追加の移送ポートを含むことができる。
【００７８】
図１０Ｂでは、第１の開口部１００５、第２の開口部１０１５、及び第３の開口部１０２５により形成された合成開口部を利用して、リンゲル液などの流体、または脂肪吸引に関連する組織（すなわち、脂肪吸引に由来する脂肪組織）などの組織を輸送することができる。いくつかの実施形態では、第２の開口部１０１５は内側チャンバーに接続される場合があり、したがって第２の開口部１０１５から入る組織産物は内側チャンバー内に捕捉される。いくつかの実施形態では、第２の開口部１０１５は外側チャンバーに接続される場合があり、したがって外側チャンバー内の流体を第２の開口部１０１５から回収することができる。
【００７９】
図１０Ａ及び図１０Ｂに示すように、第２の開口部の一部分が、内側及び／または外側チャンバーへと流体、気体（ｇａｓｓｅｓ）、及び／または固体の流れを方向付ける経路を画定することができる。図１０Ｂに示すように、第２の開口部は、物質をデバイス内の所望の場所に向ける経路をデバイス内に画定することができる。一実施形態では、第２の開口部は、物質をデバイスの内側チャンバーに向ける傾斜構成を有する。図１０Ｂに示すように、吸引チューブ１０１２を第２のプレート１００７に連結して、デバイス内の所望の場所への経路を延長してもよい。
【００８０】
図１１Ａと図１１Ｂは、それぞれ、本開示のいくつかの実施形態による一体型流れ管理デバイスを含む組織処理装置１１００の切欠き図と分解図である。流れ管理デバイスは、図１０Ａまたは１０Ｂに関して上述した流れ管理デバイス１０００と同様である。組織処理装置１１００は、上部カバー１１２２、回転ハンドル１１２１、多位置スイッチ１１０３、貫通している複数の第１の開口部１１０５を含む第１のプレート１１０４、貫通している複数の第２の開口部１１１５を含む第２のプレート１１０７、貫通している１つ以上の第３の開口部１１２５を含む第３のプレート１１０８、容器１１１８、及びフィルター１１２３を含む場合がある。組み立てると、組織処理装置１１００は、いくつかの実施形態では、吸入、潅注、混合、分離、または移送などのステップを含む、脂肪組織の処理に用いることができる。第３のプレート１１０８に連結された多位置スイッチ１１０３を操作することにより、第３の開口部１１２５を、第１の開口部１１０５のサブセットと第２の開口部１１１５のサブセットの間の流体連通を許容するように配置できる。いくつかの実施形態では、多位置スイッチ１１０３を第１の位置に配置すると、第１の開口部１１０５のサブセットを、装置１１００の内側チャンバー１１４０と流体連通している第２の開口部１１１５のサブセットに接続することができる。いくつかの実施形態では、多位置スイッチ１１０３を第２の位置に配置すると、第１の開口部１１０５のサブセットを、装置１１００の外側チャンバー１１４１と流体連通している第２の開口部１１１５のサブセットに接続することができる。
【００８１】
いくつかの実施形態では、上部カバー１１２２をスナップ装着または接着剤により容器１１１８に取り付けて、組織処理装置１１００内部の滅菌性を助長する。いくつかの実施形態では、上部カバー１１２２は、第１の開口部１１０５をデバイスの外部に接続する開口部または凹所１１２４を含む場合がある。いくつかの実施形態では、上部カバー１１２２は多位置スイッチ１１０３に上から嵌るかまたは挟み込む。
【００８２】
組織をデバイス内で清浄した後、汚染を避けるため清浄済みの組織への不慮のアクセスを許容しないこと、及びデバイス内の滅菌状態を維持することが重要となり得る。いくつかの実施形態では、第２のプレート１１０７は容器１１１８に恒久的に固着されている場合がある。第２のプレート１１０７を容器１１１８に固着することにより、汚染源がデバイスに侵入するのを阻止するシールを形成できる。いくつかの実施形態では、第２のプレート１１０７は、接着剤、熱融着、またはねじなどの留め具により容器１１１８に固着されている場合がある。
【００８３】
様々な実施形態によると、第３のプレート１１０８はディスク形状とすることができ、第３のプレートの１つ以上の第３の開口部１１２５を該ディスク上で同じ半径方向位置に配列しても異なる半径方向位置に配列してもよい。いくつかの実施形態では、第３のプレート１１０８は回転することができるが、第１のプレート１１０４及び第２のプレート１１０７は静止している。いくつかの実施形態では、第１のプレート１１０４と第２のプレート１１０７は、第３のプレート１１０８を間に挟むかまたは保持するように連結されている。図１０Ａを参照して上述したように、１つ以上の第３の開口部１１２５は、第３のプレート１１０８の片面または両面でシールに取り囲まれている場合がある。
【００８４】
回転ハンドル１１２１は、組織処理装置１１００の中心を通って延び、フィルター１１２３または容器１１１８内で混合ブレード（図示せず）と係合することができる。回転ハンドル１１２１を回転させることにより、フィルター１１２３または容器１１１８内の組織は機械的に処理されて、組織処理レジメンの一部としての組織の構成要素の洗浄または分離が可能になる。いくつかの実施形態では、フィルター１１２３は、図１６Ａ〜図１８Ｂを参照して以下にさらに詳しく説明するフィルター構造の場合がある。一例示的実施形態では、フィルター１１２３は、内側チャンバー１１４０を外側チャンバー１１４１から隔離する分割壁またはバリアとして作用する場合がある。
【００８５】
いくつかの実施形態では、第１のプレート１１０４は、チューブを第１のプレート１１０４の第１の開口部１１０５に連結するために、図９Ａを参照して上述したポート９０２と同様の１つ以上のポートを含む場合がある。いくつかの実施形態では、回転ハンドル１１２１は、流体、気体、または組織構成要素がフィルター１１２１または容器１１１８から出るのを阻止するシール１１２６と係合できる。様々な実施形態によると、シール１１２６は回転ハンドル１１２１または第２のプレート１１０７と一体化されている場合がある。
【００８６】
いくつかの実施形態では、多位置スイッチ１１０３は、第３のプレート１１０８を第１のプレート１１０４及び第２のプレート１１０７に対し回転させることができる。多位置スイッチ１１０３は、回転するノブまたはダイアルを含む場合があり、またはユーザーが握って回転させることができるハンドルを含む場合がある。いくつかの実施形態では、多位置スイッチ１１０３の一部分が、第３のプレート１１０８の中心孔との相補形状を有する場合がある。たとえば、第３のプレート１１０８の中心孔を五角形または他の多角形とすることができ、多位置スイッチ１１０３の一部分を第３のプレート１１０８の孔内に収まる五角形とすることができる。多位置スイッチ１１０３の一部分と第３のプレート１１０８の中心孔の相補形状は、いくつかの実施形態では、多位置スイッチ１１０３が第３のプレート１１０８に係合し回転させることを可能にできる。
【００８７】
いくつかの実施形態では、第２のプレート１１０７はスナップ装着または接着装着により容器１１１８に連結されている場合がある。
【００８８】
図１２Ａと図１２Ｂは、それぞれ、一体型流れ管理デバイスを含む組織処理装置１１００’の代替実施形態の切欠き図と分解図である。流れ管理デバイスは、図１０Ａまたは図１０Ｂに関して上述した流れ管理デバイスと同様である。図１１Ａ〜図１１Ｂの組織処理装置１１００と、図１２Ａ及び図１２Ｂの組織処理装置１１００’の主な違いは、構成要素の一体化と製造に関する。組織処理装置１１００’は、第１のプレート１１０３、第２のプレート１１０７、及び第３のプレート１１０８を含むバルブ組立体１１１４を含むことができる。組織処理装置１１００’はまた、容器１１１８の内部と第２のプレート１１０７の第２の開口部１１１５を接続する複数の第３の開口部１１２５を含むフィルター上部１１３７を含むことができる。第３のプレート１１０８に連結された多位置スイッチ１１０３を操作することにより、第３の開口部１１２５を、第１の開口部１１０５のサブセットと第２の開口部１１１５のサブセットの間の流体連通を許容するように配置でき、そうすることで第３の開口部１１２５のサブセットも第１の開口部１１０５のサブセットと流体連通する。
【００８９】
組織をデバイス内で清浄した後、汚染を避けるため清浄済みの組織への不慮のアクセスを許容しないこと、及びデバイス内の滅菌状態を維持することが重要となり得る。いくつかの実施形態では、フィルター上部１１３７、上部カバー１１２２、または両方が容器１１１８に恒久的に固着されている場合がある。フィルター上部１１３７と容器１１１８を固着することにより、汚染源がデバイスに侵入するのを阻止するシールを形成できる。いくつかの実施形態では、フィルター上部１１３７、上部カバー１１２２、または両方は、接着剤、熱融着、またはねじなどの留め具により容器１１１８に固着されている場合がある。
【００９０】
フィルター上部１１３７は、スナップ装着または接着装着によりフィルター１１２３に連結することができる。いくつかの実施形態では、フィルター組立体１１１４は、交換または相互交換が可能である。いくつかの実施形態では、組織処理デバイス１１００’に、異なるセットの組織処理プロトコルに対応するようにされた複数のフィルター組立体１１１４が設けられている場合がある。そのような実施形態では、ユーザーは、手順の最初に、用途に合うようなフィルター組立体１１１４を１つ選択し、該フィルター組立体１１１４、多位置スイッチ１１０３、回転ハンドル１１２１、及び上部カバー１１２２を所定の位置にスナップ装着することができる。
【００９１】
上述の実施形態は、第１の開口部と第２の開口部の間の流れを制限または許容する、平板などの１つ以上の壁またはバリアを含む。以下で図１３Ａ〜図１４Ｂに関して説明する代替実施形態では、円筒スピンドルまたはダイヤフラム値（ｄｉａｐｈｒａｇｍ  ｖａｌｕｅｓ）などの異なる構成要素が、第１の開口部と第２の開口部の間の流れを制限する能力を提供する。
【００９２】
図１３Ａは、本開示の様々な実施形態によるスピンドルを含む流れ管理デバイス１３００を示す。図１３Ｂは、流れ管理デバイス１３００の断面図である。流れ管理デバイス１３００は、複数の第１の開口部１３０２及び複数の第２の開口部１３１２を有する本体１３０１、多位置スイッチ１３０３に連結されたスピンドル１３０７、及び複数の第３の開口部１３１５を含む。多位置スイッチ１３０３を操作することにより、スピンドル１３０７を方向１３２０に回転させることができる。多位置スイッチ１３０３の操作により、第１の開口部１３０２のサブセットを第２の開口部１３１２のサブセットと流体連通させるように、第３の開口部１３１５の一部または全部を配置できる。
【００９３】
いくつかの実施形態では、複数の第３の開口部１３１５は、スピンドル１３０７の各軸線方向位置に２つ以上の開口部を含むことができる。そのような実施形態では、同じ軸線方向位置の異なる開口部は異なる方位角軌道を有することができる。スピンドル１３０７に沿って同じ軸線方向位置の複数の開口部を用いることにより、所与のスピンドル１３０７の可能な接続構成の数を増加させることができる。スピンドル１３０７の回転方向によって、第３の開口部１３１５はそれぞれ、第１の開口部１３０２のうちの１つを第２の開口部１３１２のうちの１つに接続することができる。
【００９４】
いくつかの実施形態では、スピンドル１３０７に沿って諸位置にシール１３０６を配置して、スピンドル１３０７と本体１３０１間の流体、気体、または組織物質の通過を遮ることができる。シール１３０６は、Ｏリング、グロメット、またはガスケットであってよく、ゴム、ポリマー、または任意の他の好適な材料で作製できる。いくつかの実施形態では、シール１３０６は、熱可塑性エラストマーでツインショット成形などの成形法により作製することができる。
【００９５】
多位置スイッチ１３０３は、いくつかの実施形態ではスピンドル１３０７と直接一体化される場合もあるし、またはスピンドル１３０７を回転させる別個のデバイスの場合もある。いくつかの実施形態では、多位置スイッチ１３０３は手動の場合がある。いくつかの実施形態では、多位置スイッチ１３０３は、ユーザーが多位置スイッチ１３０３を設定する際のてこ力を高めるために、レンチなどの道具が使用できるように最適な形状にすることができる。図１３Ａでは多位置スイッチ１３０３は方向１３２０に回転しているが、いくつかの実施形態では多位置スイッチ１３０３は両方向に回転できる。
【００９６】
本体１３０１は、様々な異なるチューブまたはホースへの接続を可能にする、第１の開口部１３０５または第２の開口部１３１５に隣接するポートまたは接続部を含むことができる。たとえば、第１の開口部１３０５または第２の開口部１３１５に隣接するポートまたは接続部は、とげ、ねじ山、取付具、または他の適切なコネクターを含むことができる。
【００９７】
図１４Ａと図１４Ｂは、それぞれ、本開示の様々な実施形態による、開位置と閉位置のダイヤフラム・バルブを含む流れ管理デバイス１４０１を示す。流れ管理デバイス１４０１は、回転プレート１４０４、及び１つ以上のダイヤフラム・ユニット１４５０を含むことができる。ダイヤフラム・ユニット１４５０は、可撓性ダイヤフラム１４５５及び内側チャンバー１４５１を含むことができる。可撓性ダイヤフラム１４５５は、流れ管理デバイス１４０１内の流体経路を開閉するように作動させることができる。いくつかの実施形態では、ダイヤフラム１４５０は、シリコーンなどの材料を含む場合がある。いくつかの実施形態では、ダイヤフラム１４５５はボス１４５６を含む場合がある。
【００９８】
開位置では、ダイヤフラム・ユニット１４５０は、第１の開口部１４０５と内側チャンバー１４５１と第２の開口部１４１５を流体連通させる。閉位置では、ダイヤフラム・ユニット１４５０の第１の開口部１４０５は、内側チャンバー１４５１とも第２の開口部１４１５とも流体連通していない。
【００９９】
回転プレート１４０４は、１つ以上の突起１４１４を含むことができる。いくつかの実施形態では、回転プレート１４０４をダイヤフラム・ユニット１４５０に対し種々の回転位置に回転させることができる。回転プレート１４０４を回転させることにより、突起１４１４をダイヤフラム・ユニット１４５０の下方に位置させることができる。突起は可撓性ダイヤフラム１４５５を上方に押して、ボス１４５６にダイヤフラム・ユニット１４５０を貫通している１つ以上の第１の開口部１４０５を封止させ、そうすることでダイヤフラム・ユニット１４５０を閉位置にする。１つ以上の第１の開口部１４０５を封止することにより、ダイヤフラム１４５０は第１の開口部１４０５と第２の開口部１４１５の間の流体連通を遮断することができる。
【０１００】
いくつかの実施形態では、制御すべき各流体接続用に別のダイヤフラム・ユニット１４５０を供給することができる。いくつかの実施形態では、１つのダイヤフラム・ユニットが２つ以上のボス１４５６、２つ以上の第１の開口部１４０５、または２つ以上の第２の開口部１４１５を含む場合がある。いくつかの実施形態では、回転プレート１４０４は、プレート１４０４の異なる方位角位置に複数の小さいパターンの突起１４１４を有して、回転プレート１４０４の各位置で複数のダイヤフラム・ユニット１４５０の同時制御を提供することができる。
【０１０１】
図１５Ａに、様々な実施形態によるタービン１５２０を含む組織処理装置１５３０を示す。タービン１５２０は、混合ブレードまたはパドル１５３４を含む混合シャフト１５３５を回転させて、組織処理装置内の組織を撹拌することができる。タービン１５２０は、図１５Ｃに示すように、中心シャフト１５２１及びローターブレード１５２８を有するローターを含むことができる。いくつかの実施形態では、タービン１５２０は、吸気口１５２２及び排気口１５２５を有する場合がある。排気口１５２５を真空ポンプなどの陰圧源に取り付けると、ローターブレード１５２８が動き、したがって中心シャフト１５２１が回転する。
【０１０２】
図１５Ｂに示すように、中心シャフト１５２１の端部１５２６は混合シャフト１５３５と係合できるので、中心シャフト１５２１と混合シャフト１５３５は共に回転する。様々な実施形態によると、中心シャフト１５２１と混合シャフト１５３５の係合は、あらゆる好適な形態をとることができる。たとえば、図１５Ｂに示すように、中心シャフト１５２１の端部１５２６は、混合シャフト１５３５の六角形の伸長部に合う六角形の切抜部を有することができる。四角、星、及び他の多角形といった他の形状も可能である。いくつかの実施形態では、タービン１５２０を組織処理装置１５３０の基部から外して、そこに回転ハンドルなどの手動の回転装置を据え付けることもできる。いくつかの実施形態では、取り外し可能なタービン１５２０は、複数の組織処理キャニスターまたは容器を用いて複数の処理手順で１つのタービン１５２０が使用できるように、滅菌または再利用が可能である。いくつかの実施形態では、タービン１５２０は使い捨ての場合がある。
【０１０３】
洗浄液及び脂肪または他の組織を含む溶液は粘性であり得るので、組織を手動で撹拌しているユーザーは洗浄シーケンスが終了するまでに疲れてしまうことがある。さらに、洗浄シーケンスを通してユーザーが回転ハンドルの回転速度を変えると、不均一な撹拌になり得る。タービン１５２０を用いて混合シャフト１５３５を回転させることで、混合の均一性を改善することができる。たとえば、排気口１５２５に一定レベルの陰圧をかけることで、混合シャフト１５３５を一定の回転速度で回転させることができる。さらに、タービン１５２０は医師の需要に従い必要に応じて長時間一定速度で動作することができる。
【０１０４】
図１５Ｄは、小型ギア１５４０が中心シャフト１５２１に取り付けられている、タービンの変更形態を示す。小型ギア１５４０の歯は、混合シャフト１５３５に取り付けられた大型ギア１５４１の歯と係合できる。いくつかの実施形態では、小型ギア１５４０と大型ギア１５４１のサイズ比は、脂肪組織洗浄のための混合シャフト１５３５の毎分の回転数を最適化するように選択することができる。いくつかの実施形態では、組織処理装置１５３０は、医師がギア比ひいては回転速度を所望のレベルに調節できるように、複数の着脱可能な小型ギア１５４０または大型ギア１５４１を含む場合がある。
【０１０５】
図１６Ａ及び図１６Ｂは、本明細書で説明するデバイス及び装置の第１の部分と第２の部分またはチャンバーを分割することができるフィルター構造の一実施形態を示す。フィルター構造により画定される分割壁は、構造的支持を提供するフレーム部材１７２５を含むことができる。フレーム部材１７２５は、剛性を与える材料で形成することができ、一体材で作製される。一態様では、フレーム部材１７２５は液体を通さない材料で作製される。フレーム部材１７２５は、デバイスの上部と嵌合するかまたは一体形成されている場合がある。たとえば、フレーム部材１７２５は、図１１Ａを参照して上述した第２のプレート１１０７と嵌合するかまたは一体形成されている場合がある。フレーム部材１７２５の下部１７２６は、デバイスの下部に隣接したデバイスの内側チャンバー内から物質を回収するための移送ポート１７３０を画定することができる。一態様では、フレーム部材１７２５は、デバイス内部の上部からデバイス内部の下部まで延びている。いくつかの実施形態では、フレーム部材１７２５は、フィルター１７１０またはメッシュ壁の上縁を取り囲むことができる。さらなる実施形態では、フレーム部材１７２５は、メッシュ壁の側壁の少なくとも一部分に沿ってメッシュ壁の下部まで延びることができる。
【０１０６】
フレーム部材１７２５は、フレーム部材により画定される窓１７２７を含むことができる。様々なフィルター１７１０をフレーム部材と嵌合させて、デバイスの内側チャンバーと外側チャンバー間で液体及び気体を移動させることができる。フィルター１７１０は、１つ以上の窓１７２７内に嵌ることができる。たとえば、図１６Ｂに示すように、フレーム部材の上部と下部の間に画定された窓が、フィルター１７１０を含むことができる。フィルター１７１０は、デバイスの第１のチャンバーと第２のチャンバーを分割する分割壁の一部分を画定することができる。一実施形態では、フィルター及び／またはフィルター窓は、フレーム部材の最上部及び／または最下部までは延在していない。あるいは、１つのフィルター１７１０がフレーム部材内に収まる場合もある。いくつかの実施形態では、フィルター１７１０は、第１のチャンバーを第２のチャンバーから分割するように作用するフレームまたはフレーム部材により支持されるメッシュ壁の場合もある。
【０１０７】
いくつかの実施形態では、図１６Ａに示すようなメッシュフィルター１７１０が円錐形の場合がある。様々な実施形態では、メッシュフィルター１７１０の狭小端は点または線継ぎ目に達している場合もあるし、またはメッシュフィルター１７１０は底部に平坦なパネルを有している場合もある。いくつかの実施形態では、メッシュフィルター１７１０の円錐形は、脂肪組織または他の組織構成要素が付着し得る部位を滑らかにすることができる。図１６Ｂに示すように、メッシュフィルター１７２０はまた、該メッシュフィルター１７２０によりしっかりした形及び安定性を与える上部構造１７２５を含むことができる。いくつかの実施形態では、上部構造１７２５は、オーバーモールドされたプラスチックの場合がある。いくつかの実施形態では、メッシュフィルター１７２０は、一体化された移送ポート１７３０を含む場合がある。移送ポート１７３０は、洗浄、分離、及び混合の各サイクルが完了した後、組織を組織処理装置から抽出するのに用いることができる。
【０１０８】
図１７Ａと図１７Ｂはそれぞれ、本開示の様々な実施形態による、分解されたフィルター構造１８１０と組み立てられたフィルター構造１８１０を示す。フィルター構造１８１０は、フレーム部材１８５０及びフィルター１８１５を含むことができる。フレーム部材１８５０は、１つ以上の窓１８２７を含むことができる。いくつかの実施形態では、フィルター１８１５は、窓１８２７内に嵌ることができる。
【０１０９】
いくつかの実施形態では、フィルター１８１５は、フィルターをフレーム部材１８５０に対し所定の位置に保持する切り抜き孔１８１６を含む場合がある。いくつかの実施形態では、フレーム部材１８５０は、切り抜き孔１８１６と係合しフィルター１８１５を位置決めするボス要素１８５６または他の留め要素を含む場合がある。様々な実施形態によると、フレーム部材１８５０に嵌るようにフィルター１８１５を切ることができ、したがってフィルター１８１５の除去部分１８１８がフレーム部材１８５０の一体部分１８５８と揃う。いくつかの実施形態では、一体部分１８５８は、フレーム部材１８５０からの延在部を含む。フレーム部材１８５０はフィルター１８１５の上縁を取り囲み、メッシュ壁の側壁の少なくとも一部分に沿ってメッシュ壁の下部まで、延在部としての複数の一体部分１８５８を有することができる。様々な実施形態によると、フィルター１８１５は、合成または天然のメッシュ様材料を含む場合がある。
【０１１０】
フィルター構造１８１０は、フィルター構造の下部付近に移送ポート１８６０を含むことができる。従来の装置では一般に、清浄な組織を組織処理装置から回収する際、組織処理装置を逆転させて、組織をデバイス上部の入口／出口ポートの近くまで移動させる必要があった。その場合、デバイスの逆転は、医師がデバイスに取り付けたチューブを完全に取り外し、デバイスを上下逆にしてぎこちなく持たなければならないため、望ましくない。あるいは、延長チューブを有する別のポートを用いて清浄な組織をデバイスから抽出していた。その場合、チューブは往々にして混合ブレードの動作の邪魔になり、チューブ付近に溜まった組織は適切に洗浄または混合されなかった。本開示の実施形態では、移送ポート１８６０により、容器の下部またはその付近を通って組織を組織処理装置から回収することができる。組織は、引力により、または陰圧をかけることにより、移送ポート１８６０に引き込むことができる。いくつかの実施形態では、移送ポート１８６０は、流体、気体、もしくは固体の抽出に、または流体、気体、もしくは固体の挿入に用いることができる。特定の実施形態では、移送ポート１８６０は、図１１Ａ及び図１２Ａを参照して上述したような組織処理デバイスの内側チャンバーと流体連通している場合がある。他の実施形態では、移送ポート１８６０は、組織処理デバイスの外側チャンバーと流体連通している場合がある。いくつかの実施形態では、移送ポート１８６０の一部分が、様々なサイズのシリンジ、ルアーロック、または任意の他の好適なコネクター１８６１と係合するように装備されている場合がある。
【０１１１】
図１７Ｃは、本明細書で説明する様々な実施形態によるフィルター構造１８１０を含む組織処理装置１８００を示す。組織処理装置１８００は、複数のポート１８０２、１つ以上の混合ブレード１８３０、基部１８７０、及びフィルター構造１８１０を含むことができる。
【０１１２】
図１７Ａ〜図１７Ｂを参照して上述したように、フィルター構造は、組織処理装置１８００の第１と第２の部分またはチャンバーを分割することができる。フィルター構造１８１０により画定される分割壁は、構造的支持を提供するフレーム部材１８５０を含むことができる。様々な実施形態では、フレーム部材１８５０は、デバイスの上部と嵌合するか、または一体形成されている場合がある。たとえば、フレーム部材１８５０は、図１１Ａを参照して上述した第２のプレート１１０７と嵌合するかまたは一体形成されている場合がある。いくつかの実施形態では、フィルター構造と、デバイス上部と、移送ポート１８６０を含むデバイス下部とが、デバイスの１つの内部壁に内蔵される場合がある。フレーム部材１８５０の下部は、デバイスの下部に隣接したデバイスの内側チャンバー内から物質を回収するための移送ポート１８６０を画定することができる。一態様では、フレーム部材１８５０は、デバイス内部の上部からデバイス内部の下部まで延びている。いくつかの実施形態では、フレーム部材１８５０は、フィルター１８１５またはメッシュ壁の上縁を取り囲むことができる。さらなる実施形態では、フレーム部材１８５０は、メッシュ壁の側壁の少なくとも一部分に沿ってメッシュ壁の下部まで延びることができる。
【０１１３】
混合ブレード（複数可）１８３０を用いて組織を適切に混合し洗浄するためにハンドル１８０４の操作に加えられる手の力は、一部の形態の組織にとって重要であり得る。一般的なセットアップでは、組織抽出など、手術手順の他のステップが済んでから、組織の洗浄及び混合が実施される。施術の半ばになると、執刀医または医師が装着している診断用手袋に滑りやすい性質をもつ異物または流体がついていることもあり、デバイスを転倒させることなくハンドルを握って操作することが困難になり得る。様々な実施形態によると、組織処理装置１８００は、装置の下部に幅広の基部１８７０（または図９Ａでは９１７）を含んでデバイスの安定性を高め、組織の混合及び洗浄中の転倒または移動を阻止することができる。いくつかの実施形態では、幅広の基部１８７０、９１７の少なくとも一部分の裏面は、組織処理装置１８００が使用中にスリップしたり滑ったりするのを阻止するために、高摩擦性の、肌理の粗い、または粘着性の物質、たとえばゴムを含む場合がある。いくつかの実施形態では、幅広の基部１８７０、９１７は、基部にさらなる重量を提供する流体、金属、または他の高密度物質を含む場合がある。
【０１１４】
幅広の基部は、２つの具体的な構成を図示しているが、基部は、デバイスの安定性の維持、及び不慮の転倒または移動の阻止のうちの任意の１つ以上を実現するために改変してもよいことを理解されたい。基部は、末広がり部または他の構成（たとえば箱、一連の延在部、または複数の脚）を含むことができる。基部は、たとえば、処理装置の容器の最下部の最大幅よりも１０％、２０％、３０％、４０％以上大きいか、または処理装置の上部の最大幅よりも１０％、２０％、３０％、４０％以上大きい実装面積または最大幅を有する幅広部（したがって、頭が重い、または不安定な構造が回避される）により定めることができる。
【０１１５】
いくつかの実施形態では、組織処理デバイス１８００は、多位置スイッチ１８０６を含むことができる。多位置スイッチは、図９Ａ〜図１２Ｂを参照して上述したように、異なるサブセットの第１の開口部を第２の開口部のサブセットと流体連通させるように機能できる。
【０１１６】
図１８Ａは、本開示の様々な実施形態による組織処理装置で使用される円錐形のフィルター構造１９１０の分解図である。特定の処理装置と一緒に図示しているが、フィルター構造は本明細書で説明するあらゆる前述の組織処理装置と合併してよい。以下でさらに説明するように、フィルター構造は、選択されたサイズの流体またはデブリの流れは許容するが、処理及び／または移植される組織は保持する、濾過部分またはメッシュ構造を含むことができる。さらに、構造はフレームを含み、該フレームは構造を支持する剛性の、半剛性の、またはそうではなく強固な物質を含むことができる。フレーム及び濾過部分またはメッシュは一緒に、重要な利点を提供する。
【０１１７】
たとえば、高分子メッシュなどの既知のフィルターは、特に激しい洗浄または移送方法では破れやすい場合もある。したがって、フレームは、その様々な可能な構成で、手術処理中に破損する可能性が低い、より堅牢な構造を可能にする。さらに、フィルターは、処理装置の下部に向かってまたは下部まで延在することができる。処理装置の下部への延在により、フレームに支持側壁を形成でき、装置の底壁によるフィルターのさらなる支持が可能になる。さらに、フィルターは、装置の下部に向かって延在し、かつフィルターの下部まで自体が延在して該下部を形成できるフレームを含むことにより、１つ以上の移送ポートと係合するようにされ得、それによって流体及び組織が装置の下部から挿入及び／または抽出されるようになり、したがってシリンジまたは他のデバイスを用いての上部のみのアクセスの必要性がなくなる。
【０１１８】
例示的なフィルターについての具体的な詳細を次に説明するが、望ましいフィルター構造の一般原理は上記から理解でき、それらは本明細書で説明するすべての組織処理装置及び方法で使用されるフィルターに適用することができる。フィルター構造１９１０は、フィルター１９１５及び１つ以上の剛性リングを含むことができる。一例示的実施形態では、フィルター１９１５はメッシュ様材料などの１枚の材料から作製でき、これは１つの継ぎ目で閉じられている。１つの継ぎ目を用いることにより、製造中に実施すべきメッシュの閉じの量を減じることができる。いくつかの実施形態では、フィルター構造１９１０は、上部剛性リング１９２２及び下部剛性リング１９２４を含む場合がある。上部剛性リング１９２２は、シール表面１９２４及び隆起部１９２５を含むことができる。様々な実施形態では、シール表面１９２４は、フィルター１９１５を該シール表面１９２４に熱融着または超音波溶接できるように、平坦な場合がある。下部剛性リング１９２４は、フィルター１９１５を該下部剛性リング１９２４に容易に熱融着または超音波溶接できるように、平坦表面を含む場合がある。剛性リングは、プラスチック、または任意の他の好適な材料、たとえば限定ではないが金属またはガラスなどで、作製することができる。いくつかの実施形態では、フィルター１９１５は、合成または天然のメッシュ様材料を含む場合がある。フィルター１９１５は、第１のチャンバーを第２のチャンバーから分割するメッシュ壁であってもよい。いくつかの実施形態では、上部剛性リング１９２２は、メッシュなどのフィルター１９１５の上縁を取り囲むフレームの一部分の場合がある。
【０１１９】
図１８Ｂは、本開示の様々な実施形態による組織処理装置における図１８Ａのフィルター構造の設置を示す。いくつかの実施形態では、組織処理装置は、外骨格１９５０を含む場合がある。一例示的実施形態では、上部剛性リング１９２２の隆起部１９２５は、外骨格１９５０の棚要素１９５２と係合できる。上部剛性リング１９２２と外骨格１９５０の係合は、組み立てる人または医師に要素が係合したとわかるように、シールまたは圧入ステップを含むことができる。いくつかの実施形態では、下部剛性リング１９２４は、メッシュフィルター１９１０を所定の位置に固定するため、またはメッシュフィルター内部からの組織または流体の漏れを阻止するために、外骨格１９５０に貼り付けられるかまたは熱融着される場合がある。
【０１２０】
本発明を好ましい実施形態に関して本明細書で説明してきたが、当業者であれば、本明細書で説明する装置及び方法の変化形態、代替形態、または等価形態を生成でき、それらも添付の特許請求の範囲及びその等価物の範囲内とする。
【図１】
2018537150.tif 000003
【図２】
2018537150.tif 000004
【図３】
2018537150.tif 000005
【図４】
2018537150.tif 000006
【図５】
2018537150.tif 000007
【図６】
2018537150.tif 000008
【図７】
2018537150.tif 000009
【図８】
2018537150.tif 000010
【図９Ａ】
2018537150.tif 000011
【図９Ｂ】
2018537150.tif 000012
【図９Ｃ】
2018537150.tif 000013
【図９Ｄ】
2018537150.tif 000014
【図１０Ａ】
2018537150.tif 000015
【図１０Ｂ】
2018537150.tif 000016
【図１１Ａ】
2018537150.tif 000017
【図１１Ｂ】
2018537150.tif 000018
【図１２Ａ】
2018537150.tif 000019
【図１２Ｂ】
2018537150.tif 000020
【図１３Ａ】
2018537150.tif 000021
【図１３Ｂ】
2018537150.tif 000022
【図１４Ａ】
2018537150.tif 000023
【図１４Ｂ】
2018537150.tif 000024
【図１５Ａ】
2018537150.tif 000025
【図１５Ｂ】
2018537150.tif 000026
【図１５Ｃ】
2018537150.tif 000027
【図１５Ｄ】
2018537150.tif 000028
【図１６Ａ】
2018537150.tif 000029
【図１６Ｂ】
2018537150.tif 000030
【図１７Ａ】
2018537150.tif 000031
【図１７Ｂ】
2018537150.tif 000032
【図１７Ｃ】
2018537150.tif 000033
【図１８Ａ】
2018537150.tif 000034
【図１８Ｂ】
2018537150.tif 000035
【国際調査報告】
2018537150.tif 000036
2018537150.tif 000037
2018537150.tif 000038
2018537150.tif 000039
2018537150.tif 000040